(57)【要約】【課題】  ユーザにとっての利便性を向上させる。【解決手段】  洗濯装置は、衣類に取付けられたＲＦＩＤタグ１０から、情報を受信する読取兼登録機２４と、洗濯の工程のいずれかについて、工程の内容を特定する情報を含む、読取兼登録機２４が受信した情報を記憶するメモリ３２と、メモリ３２に記憶された情報に基づき、工程の内容を決定するＣＰＵ３０と、ＣＰＵ３０が決定した内容に基づいて、衣類を洗濯する洗濯部５２とを含む。【選択図】        図１
2005211214.tif 000002
【特許請求の範囲】
【請求項１】
衣類に取付けられた通信機から、情報を受信するための受信手段と、
洗濯の工程のいずれかについて、前記工程の内容を特定する情報を含む、前記受信手段が受信した情報を記憶するための記憶手段と、
前記記憶手段に記憶された情報に基づき、前記工程の内容を決定するための決定手段と、
前記決定手段が決定した内容に基づいて、前記衣類を洗濯するための洗濯手段とを含む、洗濯装置。
【請求項２】
前記決定手段は、洗いの内容を決定するための手段を含む、請求項１に記載の洗濯装置。
【請求項３】
前記洗いの内容を決定するための手段は、複数の前記衣類の、量および素材のいずれかに対応するように、前記内容を決定するための手段を含む、請求項２に記載の洗濯装置。
【請求項４】
前記決定手段は、すすぎの内容を決定するための手段を含む、請求項１に記載の洗濯装置。
【請求項５】
前記すすぎの内容を決定するための手段は、複数の前記衣類の、量および素材のいずれかに対応するように、前記内容を決定するための手段を含む、請求項４に記載の洗濯装置。
【請求項６】
前記決定手段は、脱水の内容を決定するための手段を含む、請求項１に記載の洗濯装置。
【請求項７】
前記脱水の内容を決定するための手段は、複数の前記衣類の、量および素材のいずれかに対応するように、前記内容を決定するための手段を含む、請求項６に記載の洗濯装置。
【請求項８】
前記洗濯装置は、
前記決定手段が決定した内容に基づいて、前記洗濯のいずれかの工程の実施に費やす時間を算出するための算出手段と、
前記洗濯のいずれかの工程の実施に費やす時間を表す情報を表示するための表示手段とをさらに含む、請求項１に記載の洗濯装置。
【請求項９】
前記算出手段は、前記洗濯の複数の工程の実施に費やす時間を算出するための手段を含む、請求項８に記載の洗濯装置。
【請求項１０】
前記受信手段が受信する情報は、前記通信機を取付けた衣類に対する洗濯の回数および洗濯の日付のいずれかを表す情報、ならびに前記工程の内容を特定する情報を含み、
前記洗濯装置は、
前記洗濯の回数および日付のいずれかを表す情報に基づいて、前記通信機を取付けた衣類ごとに、複数の洗濯の方法のいずれかを用いた場合の、洗濯の適否を表す情報を作成するための作成手段と、
前記作成手段が作成した情報を表示するための表示手段とをさらに含む、請求項１に記載の洗濯装置。
【請求項１１】
前記複数の洗濯の方法は、
前記洗濯装置を用いる洗濯の方法と、
前記洗濯装置を用いる洗濯の方法とは異なる方法とを含む、請求項１０に記載の洗濯装置。
【請求項１２】
衣類に取付けられた通信機から、情報を受信するための受信手段と、
衣類を乾燥させる条件を特定する情報を含む、前記受信手段が受信した情報を記憶するための記憶手段と、
前記記憶手段に記憶された情報に基づいて、衣類を乾燥させる条件を決定するための決定手段と、
前記決定手段が決定した条件に基づいて、前記衣類を乾燥させるための乾燥手段とを含む、乾燥装置。
【請求項１３】
前記決定手段は、複数の条件の組合せを選択することにより、前記衣類を乾燥させる複数の条件を決定するための手段を含む、請求項１２に記載の乾燥装置。
【請求項１４】
前記決定手段は、前記衣類の量に対応するように、前記条件を決定するための手段を含む、請求項１２に記載の乾燥装置。
【請求項１５】
前記決定手段は、前記衣類の素材に対応するように、前記条件を決定するための手段を含む、請求項１２に記載の乾燥装置。
【請求項１６】
前記決定手段が決定した条件は、乾燥の温度を特定する条件を含む、請求項１２に記載の乾燥装置。
【請求項１７】
前記決定手段が決定した条件は、乾燥の風量を特定する条件を含む、請求項１２に記載の乾燥装置。
【請求項１８】
前記乾燥装置は、前記決定手段が決定した条件を表示するための表示手段をさらに含む、請求項１２に記載の乾燥装置。
【請求項１９】
前記乾燥装置は、前記受信手段が受信した、乾燥装置による乾燥の適否を表す情報を表示するための表示手段をさらに含む、請求項１２に記載の乾燥装置。
【請求項２０】
前記受信手段が受信した情報は、前記通信機を取付けた衣類の、乾燥の来歴を表す情報を含み、
前記乾燥装置は、
前記乾燥の来歴を表す情報に基づいて、前記通信機を取付けた衣類ごとに、乾燥の適否を表す情報を作成するための作成手段と、
前記作成手段が作成した情報を表示するための表示手段とをさらに含む、請求項１２に記載の乾燥装置。
【請求項２１】
前記作成手段は、前記乾燥の来歴を表す情報によって特定される、前記通信機を取付けた衣類が乾燥装置によって乾燥させられた回数が、予め定められた回数以上か否かに基づいて、前記乾燥の適否を表す情報を作成するための手段を含む、請求項２０に記載の乾燥装置。
【発明の詳細な説明】
【技術分野】
【０００１】
本発明は、洗濯装置および乾燥装置に関し、特に、非接触識別装置を利用する洗濯装置および乾燥装置に関する。
【背景技術】
【０００２】
衣類には、それぞれ最適な洗濯条件および乾燥条件が存在する。これらに反した条件で洗濯したり乾燥させたりすると、いわゆるちぢみや色落ちなどといった、さまざまなトラブルが発生する。しかしながら、大量に多種多様な衣類を洗濯・乾燥させる場合、それぞれに適した条件を知ること自体が困難である。このような場合に、より効率的に適切な洗濯の条件や乾燥の条件を知ることは、洗濯や乾燥といった作業において重要な要素となる。
【０００３】
そのために、ＲＦＩＤ（Radio Frequency Identification）タグを始めとする識別装置に、洗濯の条件などを記憶させるといった工夫が用いられている。
【０００４】
具体的には、特許文献１には、フィルム製容器に収納されて衣類に固着されたデータキャリヤのアンテナが信号を受信すると、予め入力された識別符号をアンテナから送信する識別装置が開示されている。これによると、個々のシーツ、白衣などを自動的に識別できる。白衣などを自動的に識別できるので、大量の衣類を扱う際の仕分け作業などが効率化できる。
【０００５】
また、特許文献２には、適切な洗濯方法またはアイロン掛け方法を表す情報を自動的に読取り、それらの方法に沿って洗濯方法またはアイロン掛け方法を自動的に設定できる洗濯装置およびアイロン装置が開示されている。これらの洗濯装置およびアイロン装置は、上述した情報を読取ることにより、不適切な設定を防止できる。また、これらの洗濯装置およびアイロン装置は、自動的に読取った情報をユーザに報知できる。
【０００６】
また、特許文献３には、最上の洗濯を行うことができる洗濯制御方法が開示されている。これによると、洗濯情報が載ったバーコードを衣類に附着しバーコードによって各種状態を設定するので、最上の洗濯が可能となる。
【０００７】
しかしながら、特許文献１に開示されたように、データキャリヤのアンテナが信号を受信すると、予め入力された識別符号をアンテナから送信する場合には、単に仕分け作業を効率化するに過ぎないという問題がある。これにより、大量の衣類を扱う場合に、一部の衣類の汚れが十分取れなかったり、ちぢみなどが発生したりする可能性が生じる。
【０００８】
一方、特許文献２に開示されたように、適切な洗濯方法またはアイロン掛け方法を表す情報を自動的に読取り、それらの方法に沿って洗濯方法またはアイロン掛け方法を自動的に設定する場合には、ユーザにとっての利便性に改良の余地があるという問題がある。たとえば、洗濯の各工程についてきめ細かい設定が必要な場合についての解決がなされていない。
【０００９】
特許文献３に開示されているように、衣類に付着される情報媒介体がバーコードのようなものの場合、読取装置との接触が必要となるという問題がある。またこの場合、多数の衣類情報を同時に読取ることができないためユーザにとって大変に不便であるという問題もある。
【特許文献１】特開平１１−１８０５４５号公報
【特許文献２】特開２００２−３６０９６８号公報
【特許文献３】特開平６−３０４３７９号公報
【発明の開示】
【発明が解決しようとする課題】
【００１０】
本発明は、上述の問題点を解決するためになされたものであって、その目的は、ユーザにとっての利便性を向上させる洗濯装置および乾燥装置を提供することにある。
【課題を解決するための手段】
【００１１】
上記目的を達成するために、本発明のある局面にしたがうと、洗濯装置は、衣類に取付けられた通信機から、情報を受信するための受信手段と、洗濯の工程のいずれかについて、工程の内容を特定する情報を含む、受信手段が受信した情報を記憶するための記憶手段と、記憶手段に記憶された情報に基づき、工程の内容を決定するための決定手段と、決定手段が決定した内容に基づいて、衣類を洗濯するための洗濯手段とを含む。
【００１２】
すなわち、受信手段は、衣類に取付けられた通信機から、情報を受信する。記憶手段は、洗濯の工程のいずれかについて、工程の内容を特定する情報を含む、受信手段が受信した情報を記憶する。決定手段は、記憶手段に記憶された情報に基づき、工程の内容を決定する。洗濯手段は、決定手段が決定した内容に基づいて、衣類を洗濯する。これにより、受信手段が受信した、工程の内容を特定する情報に基づいて、衣類が洗濯される。その結果、ユーザにとっての利便性を向上させる洗濯装置を提供することができる。
【００１３】
また、上述の決定手段は、洗いの内容を決定するための手段を含むことが望ましい。
【００１４】
すなわち、決定手段は、記憶手段に記憶された情報に基づき、洗いの内容を決定する。これにより、洗いの内容は、受信手段が受信した、工程の内容を特定する情報に基づいて決定される。その結果、ユーザにとっての利便性をより向上させる洗濯装置を提供することができる。
【００１５】
もしくは、上述の洗いの内容を決定するための手段は、複数の衣類の、量および素材のいずれかに対応するように、内容を決定するための手段を含むことが望ましい。
【００１６】
すなわち、洗いの内容を決定するための手段は、複数の衣類の、量および素材のいずれかに対応するように、洗いの内容を決定する。これにより、複数の衣類を洗濯する場合にも、洗いの内容は、受信手段が受信した、工程の内容を特定する情報に基づいて、さらに適切な洗いの内容に決定される。その結果、ユーザにとっての利便性をさらに向上させる洗濯装置を提供することができる。
【００１７】
また、上述の決定手段は、すすぎの内容を決定するための手段を含むことが望ましい。
【００１８】
すなわち、決定手段は、記憶手段に記憶された情報に基づき、すすぎの内容を決定する。これにより、すすぎの内容は、受信手段が受信した、工程の内容を特定する情報に基づいて決定される。その結果、ユーザにとっての利便性をより向上させる洗濯装置を提供することができる。
【００１９】
もしくは、上述のすすぎの内容を決定するための手段は、複数の衣類の、量および素材のいずれかに対応するように、内容を決定するための手段を含むことが望ましい。
【００２０】
すなわち、すすぎの内容を決定するための手段は、複数の衣類の、量および素材のいずれかに対応するように、すすぎの内容を決定する。これにより、複数の衣類を洗濯する場合にも、すすぎの内容は、受信手段が受信した、工程の内容を特定する情報に基づいて、さらに適切なすすぎの内容に決定される。その結果、ユーザにとっての利便性をさらに向上させる洗濯装置を提供することができる。
【００２１】
また、上述の決定手段は、脱水の内容を決定するための手段を含むことが望ましい。
【００２２】
すなわち、決定手段は、記憶手段に記憶された情報に基づき、脱水の内容を決定する。これにより、脱水の内容は、受信手段が受信した、工程の内容を特定する情報に基づいて決定される。その結果、ユーザにとっての利便性をより向上させる洗濯装置を提供することができる。
【００２３】
もしくは、上述の脱水の内容を決定するための手段は、複数の衣類の、量および素材のいずれかに対応するように、内容を決定するための手段を含むことが望ましい。
【００２４】
すなわち、脱水の内容を決定するための手段は、複数の衣類の、量および素材のいずれかに対応するように、脱水の内容を決定する。これにより、複数の衣類を洗濯する場合にも、脱水の内容は、受信手段が受信した、工程の内容を特定する情報に基づいて、さらに適切な脱水の内容に決定される。その結果、ユーザにとっての利便性をさらに向上させる洗濯装置を提供することができる。
【００２５】
また、上述の洗濯装置は、決定手段が決定した内容に基づいて、洗濯のいずれかの工程の実施に費やす時間を算出するための算出手段と、洗濯のいずれかの工程の実施に費やす時間を表す情報を表示するための表示手段とをさらに含むことが望ましい。
【００２６】
すなわち、算出手段は、決定手段が決定した内容に基づいて、洗濯のいずれかの工程の実施に費やす時間を算出する。表示手段は、洗濯のいずれかの工程の実施に費やす時間を表す情報を表示する。これにより、ユーザにとって利便性が高い時間が表示される。その結果、ユーザにとっての利便性をより向上させる洗濯装置を提供することができる。
【００２７】
もしくは、上述の算出手段は、洗濯の複数の工程の実施に費やす時間を算出するための手段を含むことが望ましい。
【００２８】
すなわち、算出手段は、洗濯の複数の工程の実施に費やす時間を算出する。表示手段は、給水が開始された時から脱水が終了した時までに実施される工程の実施に費やす時間を表す情報を表示する。これにより、ユーザにとってさらに利便性が高い時間が表示される。その結果、ユーザにとっての利便性をさらに向上させる洗濯装置を提供することができる。
【００２９】
または、上述の受信手段が受信する情報は、通信機を取付けた衣類に対する洗濯の回数および洗濯の日付のいずれかを表す情報、ならびに工程の内容を特定する情報を含むことが望ましい。あわせて洗濯装置は、洗濯の回数および洗濯の日付のいずれかを表す情報に基づいて、通信機を取付けた衣類ごとに、複数の洗濯の方法のいずれかを用いた場合の、洗濯の適否を表す情報を作成するための作成手段と、作成手段が作成した情報のいずれかを表示するための表示手段とをさらに含むことが望ましい。
【００３０】
すなわち、作成手段は、洗濯の回数および洗濯の日付のいずれかを表す情報に基づいて、通信機を取付けた衣類ごとに、複数の洗濯の方法のいずれかを用いた場合の、洗濯の適否を表す情報を作成する。表示手段は、作成手段が作成した情報のいずれかを表示する。これにより、通信機を取付けた衣類のいずれかについて、複数の洗濯の方法のいずれかを用いた場合の、洗濯の適否を表す情報が表示される。その結果、ユーザにとっての利便性をより向上させる洗濯装置を提供することができる。
【００３１】
もしくは、上述の複数の洗濯の方法は、洗濯装置を用いる洗濯の方法と、洗濯装置を用いる洗濯の方法とは異なる方法とを含むことが望ましい。
【００３２】
すなわち、作成手段は、洗濯装置を用いる洗濯の方法と、洗濯装置を用いる洗濯の方法とは異なる方法とを含む、複数の洗濯の方法のいずれかを用いた場合の、洗濯の適否を表す情報を作成する。これにより、洗濯装置を用いる洗濯の方法とは異なる方法を用いる洗濯に適した衣類について、洗濯の適否を表す、さらに利便性が高い情報が表示される。その結果、ユーザにとっての利便性をさらに向上させる洗濯装置を提供することができる。
【００３３】
本発明の他の局面にしたがうと、乾燥装置は、衣類に取付けられた通信機から、情報を受信するための受信手段と、衣類を乾燥させる条件を特定する情報を含む、受信手段が受信した情報を記憶するための記憶手段と、記憶手段に記憶された情報に基づいて、衣類を乾燥させる条件を決定するための決定手段と、決定手段が決定した条件に基づいて、衣類を乾燥させるための乾燥手段とを含む。
【００３４】
すなわち、受信手段は、衣類に取付けられた通信機から、情報を受信する。記憶手段は、衣類を乾燥させる条件を特定する情報を含む、受信手段が受信した情報を記憶する。決定手段は、記憶手段に記憶された情報に基づいて、衣類を乾燥させる条件を決定する。乾燥手段は、決定手段が決定した条件に基づいて、衣類を乾燥させる。これにより、受信手段が受信した、衣類を乾燥させる条件を特定する情報に基づいて、衣類が乾燥させられる。その結果、ユーザにとっての利便性を向上させる乾燥装置を提供することができる。
【００３５】
または、上述の決定手段は、複数の条件の組合せを選択することにより、衣類を乾燥させる複数の条件を決定するための手段を含むことが望ましい。
【００３６】
すなわち、決定手段は、記憶手段に記憶された情報に基づいて、複数の条件の組合せを選択することにより、衣類を乾燥させる複数の条件を決定する。これにより、決定手段は、衣類を乾燥させる条件をより早く決定する。その結果、ユーザにとっての利便性をより向上させる乾燥装置を提供することができる。
【００３７】
または、上述の決定手段は、衣類の量に対応するように、条件を決定するための手段を含むことが望ましい。
【００３８】
すなわち、決定手段は、衣類の量に対応するように、衣類を乾燥させる条件を決定する。これにより、決定手段は、より的確に衣類を乾燥させる条件を決定する。その結果、ユーザにとっての利便性をより向上させる乾燥装置を提供することができる。
【００３９】
または、上述の決定手段は、衣類の素材に対応するように、条件を決定するための手段を含むことが望ましい。
【００４０】
すなわち、決定手段は、衣類の素材に対応するように、衣類を乾燥させる条件を決定する。これにより、決定手段は、より的確に衣類を乾燥させる条件を決定する。その結果、ユーザにとっての利便性をより向上させる乾燥装置を提供することができる。
【００４１】
または、上述の決定手段が決定した条件は、乾燥の温度を特定する条件を含むことが望ましい。
【００４２】
すなわち、決定手段は、乾燥の温度を特定する条件を含む、衣類を乾燥させる条件を決定する。これにより、決定手段は、より的確に衣類を乾燥させる条件を決定する。その結果、ユーザにとっての利便性をより向上させる乾燥装置を提供することができる。
【００４３】
または、上述の決定手段が決定した条件は、乾燥の風量を特定する条件を含むことが望ましい。
【００４４】
すなわち、決定手段は、乾燥の風量を特定する条件を含む、衣類を乾燥させる条件を決定する。これにより、決定手段は、より的確に衣類を乾燥させる条件を決定する。その結果、ユーザにとっての利便性をより向上させる乾燥装置を提供することができる。
【００４５】
または、上述の乾燥装置は、決定手段が決定した条件を表示するための表示手段をさらに含むことが望ましい。
【００４６】
すなわち、表示手段は、決定手段が決定した条件を表示する。これにより、衣類を乾燥させる条件が表示される。その結果、ユーザにとっての利便性をより向上させる乾燥装置を提供することができる。
【００４７】
または、上述の乾燥装置は、受信手段が受信した、乾燥装置による乾燥の適否を表す情報を表示するための表示手段をさらに含むことが望ましい。
【００４８】
すなわち、表示手段は、乾燥装置による乾燥の適否を表す情報を表示する。これにより、乾燥装置による乾燥の適否が明確になる。その結果、ユーザにとっての利便性をより向上させる乾燥装置を提供することができる。
【００４９】
または、上述の受信手段が受信した情報は、通信機を取付けた衣類の、乾燥の来歴を表す情報を含むことが望ましい。あわせて乾燥装置は、乾燥の来歴を表す情報に基づいて、通信機を取付けた衣類ごとに、乾燥の適否を表す情報を作成するための作成手段と、作成手段が作成した情報を表示するための表示手段とをさらに含むことが望ましい。
【００５０】
すなわち、受信手段は、衣類に取付けられた通信機から、通信機を取付けた衣類の、乾燥の来歴を表す情報を含む、情報を受信する。作成手段は、乾燥の来歴を表す情報に基づいて、通信機を取付けた衣類ごとに、乾燥の適否を表す情報を作成する。表示手段は、作成手段が作成した情報を表示する。これにより、乾燥の来歴に基づく、乾燥の適否を表す情報が表示される。その結果、ユーザにとっての利便性をより向上させる乾燥装置を提供することができる。
【００５１】
もしくは、上述の作成手段は、乾燥の来歴を表す情報によって特定される、通信機を取付けた衣類が乾燥装置によって乾燥させられた回数が、予め定められた回数以上か否かに基づいて、乾燥の適否を表す情報を作成するための手段を含むことが望ましい。
【００５２】
すなわち、作成手段は、乾燥装置によって乾燥させられた回数が、予め定められた回数以上か否かに基づいて、通信機を取付けた衣類ごとに、乾燥の適否を表す情報を作成する。これにより、乾燥の適否を明確に表す情報が表示される。その結果、ユーザにとっての利便性をさらに向上させる乾燥装置を提供することができる。
【発明の効果】
【００５３】
本発明に係る洗濯装置および乾燥装置は、ユーザにとっての利便性を向上させる。
【発明を実施するための最良の形態】
【００５４】
以下、図面を参照しつつ、本発明の実施の形態について説明する。以下の説明では、同一の部品には同一の符号を付してある。それらの名称および機能も同一である。したがって、それらについての詳細な説明は繰返さない。
【００５５】
＜第１の実施の形態＞
以下、本発明の第１の実施の形態に係る非接触識別装置を利用した洗濯装置について、図面に基づいて説明する。
【００５６】
図１を参照して、本実施の形態に係る洗濯装置システムは、ＲＦＩＤタグ１０と、洗濯装置２０とを含む。ＲＦＩＤタグ１０は、衣類に装着される。ＲＦＩＤタグ１０は、その衣類に関するデータを格納する非接触識別装置である。洗濯装置２０は、ＲＦＩＤタグ１０に格納されたデータに基づき、衣類を洗濯する装置である。
【００５７】
図２を参照して、衣類におけるＲＦＩＤタグ１０の取付け位置を示す。本実施の形態におけるＲＦＩＤタグ１０は、内部アンテナとＩＣ（Integrated Circuit）チップとがケース内に装着されている、従来から公知のＲＦＩＤタグである。ＲＦＩＤタグ１０の内部に装着されるＩＣチップには、記憶部やＲＦＩＤ送受信に必要な制御回路などが埋込まれている。ＲＦＩＤタグ１０の記憶部には、当該ＲＦＩＤタグ１０が装着された衣類に関する衣類情報（洗濯の適否、素材や質量などを表す衣類の一般情報など）が記憶されている。衣類情報は、複数の項目にそれぞれ対応する複数のデータの集合体である。それらのデータは、ＲＦＩＤタグ１０が装着された衣類に最適な値を表す。それらの最適な値は、後述する読取兼登録機２４によってＲＦＩＤタグ１０の記憶部に登録される。
【００５８】
洗濯装置２０は、中央情報処理装置２２と、読取兼登録機２４と、構造部２６と、報知部２８とを含む。中央情報処理装置２２は、読取兼登録機２４が出力した情報を処理する。読取兼登録機２４は、ＲＦＩＤタグ１０に情報を書込む登録機である。読取兼登録機２４は、衣類に取付けられたＲＦＩＤタグ１０から、情報を表す信号を受信する読取り機でもある。読取兼登録機２４は、構造部２６の投入口に着脱できるように装着される。この投入口は、ＲＦＩＤタグ１０が取付けられた衣類が投入されて通過する投入口である。衣類が投入口を通過する際、読取兼登録機２４が、ＲＦＩＤタグ１０にデータを登録できなかった場合、ユーザは、読取兼登録機２４を取外し、衣類に近づけて、データを確実に登録させる。読取兼登録機２４が、ＲＦＩＤタグ１０からデータを読取ることができなかった場合も、ユーザは、読取兼登録機２４を取外し、衣類に近づけて、データを確実に読取らせる。構造部２６は、近年、一般に市販されている洗濯機に相当する。読取兼登録機２４および後述する報知部２８は、構造部２６に取付けられる。図３を参照して、本実施の形態に係る構造部２６での、読取兼登録機２４および報知部２８の取付け位置を示す。一般的に、洗濯装置の洗濯モードは、大別して２種類の方法のいずれかにより選択される。第１の方法は、洗い、すすぎ、および脱水といった洗濯の工程ごとに、具体的に値を設定する方法である。第２の方法は、洗濯のすべての工程について、予め設定すべき値が定められた「コース」のいずれかを選択する方法である。この場合、そのコースには、たとえば通常洗濯コース、手洗い洗濯コース、念入りすすぎ洗濯コース、毛布洗いコースといった名称が定められている。前者の方法の場合、ユーザは洗濯の工程ごとに手動で適切な数値などを設定する（予め定められたいくつかの数値などの中から選択してもよいが、本実施の形態においては前述の通りとする）。後者の方法の場合、そのコースごとに洗い水量、洗い時間、洗い回転パターン（以下の説明において、「洗い回転パターン」とは、衣類を洗う際の、回転槽の回転の頻度および回転の速度の組合せをいう。「すすぎ回転パターン」とは、すすぎの際の、回転槽の回転の頻度および回転の速度の組合せをいう。「脱水回転パターン」とは、脱水の際の、回転槽の回転の頻度および回転の速度の組合せをいう。）、すすぎ水量、すすぎ時間、すすぎ回転パターン、すすぎ回数、脱水回転パターン、脱水時間などの適切な値が予め記憶されている。ユーザは所望の洗濯コースを１つ選択する。これにより洗濯モードが選択されることになる。しかしながら、本実施の形態に係る構造部２６は、これらとは異なる方法により洗濯モードを選択する。具体的な選択の方法は後述する。また、報知部２８は、表示装置である。
【００５９】
中央情報処理装置２２は、ＣＰＵ（Central Processing Unit）３０と、メモリ３２と、ＲＯＭ（Read Only Memory）３４と、ＲＡＭ（Random Access Memory）３６と、クロック（ＣＬＯＣＫ）３８とを含む。ＣＰＵ３０は、中央情報処理装置２２の各部を制御する。ＣＰＵ３０は、構造部２６の制御部５０が出力した衣類情報に基づいて、最適な洗い水量、洗い時間、洗い回転パターン、すすぎ水量、すすぎ時間、すすぎ回転パターン、すすぎ回数、脱水回転パターン、脱水時間などを決定する回路でもある。メモリ３２は、洗濯の各工程について、工程の内容を特定する情報を含む、読取兼登録機２４が受信した情報を記憶する。ＲＯＭ３４は、情報を処理するためのプログラムを格納する。ＲＡＭ３６は、情報を直接読み書きする。クロック３８は、同期信号を発生させる。
【００６０】
読取兼登録機２４は、制御部４０と、ＲＦ送受信部４２と、アンテナ４６とを含む。制御部４０は、中央情報処理装置２２のＣＰＵ３０が出力した衣類情報を、信号に変換する。制御部４０は、変換した信号をＲＦ送受信部４２に出力する。制御部４０は、ＲＦ送受信部４２が出力した信号を、衣類情報に変換する回路でもある。ＲＦ送受信部４２は、アンテナ４６が受信した電波を、信号に変換する。ＲＦ送受信部４２は、自らが変換した信号を、制御部４０に出力する。ＲＦ送受信部４２は、制御部４０が出力した信号を、電波に変換する回路でもある。アンテナ４６は、ＲＦＩＤタグ１０との間で電波を通信する。
【００６１】
構造部２６は、制御部５０および洗濯部５２を含む。制御部５０は、洗濯部５２を制御する。洗濯部５２は、衣類を洗濯し、すすぎ、脱水する。洗濯部５２は、衣類を洗濯するための各種の装置と、ユーザの入力を受付けるキーとを（いずれも図示せず）含む。
【００６２】
図４を参照して、洗濯装置２０で実行されるプログラムは、衣類の洗濯および脱水に関し、以下のような制御構造を有する。
【００６３】
ステップ１００（以下、ステップをＳと略す。）にて、ユーザは、ＲＦＩＤタグ１０が装着された衣類を構造部２６の投入口に投入する。洗濯しようとする衣類には、ＲＦＩＤタグ１０が装着されている。衣類に装着されたＲＦＩＤタグ１０には、予め読取兼登録機２４によって衣類情報が記憶されている。
【００６４】
Ｓ１０２にて、読取兼登録機２４は、衣類が投入される時、衣類に装着されたＲＦＩＤタグ１０の衣類情報を読取る。読取兼登録機２４は、上述したように投入口に取付けられている。ＲＦＩＤタグ１０の衣類情報は、上述の処理を経て、読取兼登録機２４の制御部４０からＣＰＵ３０に出力される。
【００６５】
Ｓ１０４にて、ＣＰＵ３０は、衣類情報に基づき、Ｓ１０２において投入された衣類に最適な洗い水量、洗い時間、洗い回転パターン、すすぎ水量、すすぎ時間、すすぎ回転パターン、すすぎ回数、脱水回転パターン、脱水時間、および合計時間を算出する。これらを算出するための式は、洗濯装置２０のメーカなどによって、設計時に任意に定められる。たとえば、セータを洗濯する場合、通常の洗いやすすぎの場合と比較して、弱い水流で洗濯し、すすぎをして、短い脱水時間、低い脱水回転数で脱水することが望ましい。このとき、洗い回転パターン、すすぎ回転パターン、および脱水回転パターンは衣類素材の情報に基づきＣＰＵ３０によって計算される(水流に弱い素材の混合比率によって回転頻度または回転数を決定する)。また、セータの枚数が１枚の場合、水量は少量でよい。しかし、セータの枚数が多い場合、セータすべてが水に浸かる程度の水量が必要である。そのために、本実施の形態において、ＣＰＵ３０は、Ｓ１０２において読取った衣類情報に基づき、衣類の合計質量（衣類の合計枚数であってもよいが、本実施の形態の場合、合計質量とする）を計算する。合計質量が計算されると、ＣＰＵ３０は、合計質量に、単位質量あたりの水量（本実施の形態の場合、この水量は、セータの素材に応じて異なる量とする。また、この水量は、洗い水量を算出する場合とすすぎ水量を算出する場合とで異なる値とする。）を乗算する。これにより、洗い水量またはすすぎ水量が算出される。すすぎ回数も同様の方法で算出される。洗い水量などが算出されると、ＣＰＵ３０は、ＣＰＵ３０自身が算出した内容、すなわちＣＰＵ３０自身が決定した内容に基づいて、洗濯工程、すすぎ工程、および脱水工程のそれぞれにつき、それらの工程の実施に費やす時間（本実施の形態の場合、上述した洗い時間、すすぎ時間、脱水時間がこれに相当する）を算出する。本実施の形態の場合における、それらの工程の算出方法は以下の通りである。第１のステップにて、ＣＰＵ３０は、それらの工程における個々の動作を「１回」実施するために必要な時間を算出する。ただし、それらの時間のうち、たとえば洗濯部５２がユーザのキー入力を受付ける時間といった、衣類の量や素材に関わらず動作を「１回」実施するために必要な時間が一定なものは、ＣＰＵ３０により算出される代わりに、ＲＯＭ３４から読み出される。一方、たとえば給水に要する時間といった、衣類の量や素材に対応して動作を「１回」実施するために必要な時間が一定なものは、ＣＰＵ３０が、自ら決定した内容に基づいて、これを算出する。第２のステップにて、ＣＰＵ３０は、動作を「１回」実施するために必要な時間の合計を算出する。その際、「１つの」工程で「複数回」実施される動作がある場合、ＣＰＵ３０は、動作を「１回」実施するために必要な時間を、その「複数回」分加算する。これにより、工程の実施に費やす時間が算出される。なお、上述した「合計時間」は、複数の工程について、工程の実施に費やす時間を合計した値である。ＣＰＵ３０は、複数の工程について、工程の実施に費やす時間を合計することにより、洗濯の複数の工程の実施に費やす時間を算出する。以上のようにして、ＣＰＵ３０は、ユーザによる手動設���を必要とせず、複数の衣類の、量および素材のいずれかに対応するように、最適な洗い水量、洗い時間、洗い回転パターン、すすぎ水量、すすぎ時間、すすぎ回転パターン、すすぎ回数、脱水回転パターン、脱水時間などを決定できる。
【００６６】
Ｓ１０６にて、ＣＰＵ３０は、Ｓ１０２において投入された衣類に最適な洗い水量、洗い時間、洗い回転パターン、すすぎ水量、すすぎ時間、すすぎ回転パターン、すすぎ回数、脱水回転パターン、脱水時間、合計時間を、報知部２８に表示させる。これにより、ユーザは表示された洗濯モードを確認できる。
【００６７】
Ｓ１０８にて、洗濯部５２のキーは、ユーザが洗濯モードを適切と判断したか否かを表す入力を受付ける。その入力が受付けられると、制御部５０は、その入力の内容を表す信号をＣＰＵ３０に出力する。その信号が出力されると、ＣＰＵ３０は、ユーザがその洗濯モードを適切と判断したか否かを判断する。洗濯モードを適切と判断した場合（Ｓ１０８にてＹＥＳ）、処理はＳ１１０へと移される。もしそうでないと（Ｓ１０８にてＮＯ）、処理はＳ１１４へと移される。Ｓ１１０にて、構造部２６の制御部５０は、適切と判断された洗濯モードを自動的に設定する。Ｓ１１２にて、制御部５０は、設定された衣類情報にしたがって、洗濯部５２を制御する。これにより、衣類が洗濯される。
【００６８】
Ｓ１１４にて、洗濯部５２のキーは、ユーザが最適と考える洗濯モードの入力を受付ける。
【００６９】
Ｓ１１６にて、ＣＰＵ３０は、洗濯日および洗濯の累計回数を表す情報を読取兼登録機２４に出力する。読取兼登録機２４は、それらの情報を電波によってＲＦＩＤタグ１０に送信する。ＲＦＩＤタグ１０は、洗濯日および洗濯の累計回数を表す情報を記憶する。
【００７０】
以上のような構造およびフローチャートに基づく、洗濯乾燥機７０の動作について説明する。
【００７１】
ユーザは、ＲＦＩＤタグ１０が装着された衣類を構造部２６の投入口に投入する（Ｓ１００）。衣類が投入されると、読取兼登録機２４は、衣類に装着されたＲＦＩＤタグ１０の衣類情報を読取る（Ｓ１０２）。図５に、本実施の形態において投入されたセータの衣類情報を示す。衣類情報には、ＲＦＩＤタグ１０を取付けた衣類に対する洗濯の回数を表す情報、洗濯の日付を表す情報、ならびに洗濯の工程の内容を特定する情報（本実施の場合、「ドライクリーニング」欄から「洗濯ネットの使用」までがこれに該当する）が含まれている。衣類情報が読取られると、ＣＰＵ３０は、衣類情報に基づき、Ｓ１０２において投入された衣類に最適な洗い水量、洗い時間、洗い回転パターン、すすぎ水量、すすぎ時間、すすぎ回転パターン、すすぎ回数、脱水回転パターン、脱水時間、および合計時間を算出する（Ｓ１０４）。合計時間などが算出されると、ＣＰＵ３０は、Ｓ１０２において投入された衣類に最適な洗い水量、洗い時間、洗い回転パターン、すすぎ水量、すすぎ時間、すすぎ回転パターン、すすぎ回数、脱水回転パターン、脱水時間、合計時間を、報知部２８に表示させる（Ｓ１０６）。合計時間などが表示されると、洗濯部５２のキーが受付けた、ユーザが洗濯モードを適切と判断したか否かを表す入力に基づき、ＣＰＵ３０は、ユーザがその洗濯モードを適切と判断したか否かを判断する（Ｓ１０８）。この場合、ユーザは洗濯モードを適切と判断するので（Ｓ１０８にてＹＥＳ）、制御部５０は、適切と判断された洗濯モードを自動的に設定する（Ｓ１１０）。設定が終了すると、制御部５０は、設定された衣類情報にしたがって、衣類を洗濯する（Ｓ１１２）。衣類が洗濯されると、ＣＰＵ３０は、洗濯日および洗濯の累計回数を表す情報を読取兼登録機２４に出力する。読取兼登録機２４は、それらの情報を電波によってＲＦＩＤタグ１０に送信する（Ｓ１１６）。ＲＦＩＤタグ１０は、洗濯日および洗濯の累計回数を表す情報を記憶する。
【００７２】
以上のようにして、本実施の形態に係る洗濯装置システムは、ＲＦＩＤタグに記憶された、洗濯される衣類の質量に基づいて、最適な洗い水量、洗い時間、洗い回転パターン、すすぎ水量、すすぎ時間、すすぎ回転パターン、すすぎ回数、脱水回転パターン、脱水時間、および合計時間を決定できる。これにより、洗濯のコースなどはより適切な設定となる。すなわち、ＲＦＩＤタグの情報から最適な洗濯が設定される。最適な洗濯が設定されるので、洗濯時間の削減や洗浄能力の維持が可能になる。さらに本実施の形態に係る洗濯乾燥機は、洗濯される衣類の質量に基づいて、案内情報を作成し、表示できる。これにより、衣類の傷み具合や廃棄時期の目安といった、衣類を管理するための目安を得ることができる。その上、ＲＦＩＤタグは、多くの情報量を記憶でき、かつ書き込みをすることもできる。ＲＦＩＤタグは、ユーザにとっての利便性に富んだものである。その結果、ユーザにとっての利便性を向上させる、さらに進歩した洗濯装置を提供できる。
【００７３】
なお、報知部２８は、表示部、スピーカおよびブザーのうち、少なくともいずれか１つで構成される装置である。あるいは、報知部２８は、２つ以上の装置が複合した装置として構成されてもよい。
【００７４】
＜第２の実施の形態＞
以下、本発明の第２の実施の形態に係る非接触識別装置を利用した洗濯乾燥システムについて、図面に基づいて説明する。
【００７５】
図６を参照して、本実施の形態に係る構造部６２は、乾燥部６４を含む。乾燥部６４は、近年、一般に市販されている乾燥機に相当する。乾燥部６４は、衣類を乾燥するための各種の装置と、ユーザの入力を受付けるキーとを（いずれも図示せず）含む。なお、その他のハードウェア構成については前述の第１の実施の形態と同様である。それらについての機能も同じである。したがって、それらについての詳細な説明はここでは繰返さない。
【００７６】
図７を参照して、洗濯乾燥装置６０で実行されるプログラムは、衣類の乾燥に関し、以下のような制御構造を有する。なお、図７に示すフローチャートの中で、前述の図４に示した処理は同じステップ番号を付してある。それらの処理も同じである。したがって、それらについての詳細な説明はここでは繰返さない。
【００７７】
Ｓ２００にて、ユーザは、ＲＦＩＤタグ１０が装着された衣類を乾燥部６４の投入口に投入する。洗濯しようとする衣類には、ＲＦＩＤタグ１０が装着されている。たとえば、化繊１００％のワイシャツを乾燥させる場合には、綿１００％のものに比べて短時間で乾く。この場合、ワイシャツに、衣類情報（本実施の形態の場合、衣類情報の内容は第１の実施の形態と同様とする）をＲＦＩＤタグ１０の記憶部に記憶させておくことで、乾燥装置２に取付けられた読取兼登録機２４が、乾燥装置への投入時に、その衣類のＲＦＩＤタグ１０の情報を読取る。
【００７８】
Ｓ２０２にて、ＣＰＵ３０は、ＲＦＩＤタグ１０から受信した情報に基づいて、投入された衣類が洗濯乾燥装置６０において乾燥可能か否かを判断する。乾燥可能と判断した場合（Ｓ２０２にてＹＥＳ）、処理はＳ２０４へと移される。もしそうでないと（Ｓ２０２にてＮＯ）、処理はＳ２１０へと移される。
【００７９】
Ｓ２０４にて、ＣＰＵ３０は、ＲＦＩＤタグ１０から受信した衣類情報に基づいて、投入された衣類に最適な乾燥時間、乾燥温度、乾燥風量などを算出する。これらを算出するための式は、設計時に定められる。それらの式は洗濯乾燥装置６０のメーカなどによって任意に定められる。本実施の形態の場合、衣類情報に含まれる、個々の衣類ごとの最適な乾燥温度のうち、最も低い温度を乾燥温度とする。乾燥時間は、衣類の量に予め定められた係数を乗算することにより算出する。乾燥風量は、投入された衣類のうち、最も高温で乾燥させることが必要な素材における最適な乾燥風量に、次の値の積を加算して算出する。その値の第１は、予め定められた係数である。その値の第２は、その素材における最適な乾燥温度と実際の乾燥における乾燥温度との差である。これにより、記憶手段に記憶された情報に基づいて、衣類を乾燥させる条件が決定される。また、衣類の量にも、衣類の素材にも対応するように、衣類を乾燥させる条件が決定される。さらに、衣類を乾燥させる条件には、乾燥の温度を特定する条件が含まれる。
【００８０】
Ｓ２０６にて、ＣＰＵ３０は、算出した乾燥時間、乾燥温度、乾燥風量などを、報知部２８に表示させる。これにより、ユーザは表示された乾燥モードなどを確認できる。
【００８１】
Ｓ２０８にて、乾燥部６４のキーは、ユーザが乾燥モードを適切と判断したか否かを表す入力を受付ける。その入力が受付けられると、制御部５０は、その入力の内容を表す信号をＣＰＵ３０に出力する。その信号が出力されると、ＣＰＵ３０は、ユーザがその乾燥モードを適切と判断したか否かを判断する。乾燥モードを適切と判断した場合（Ｓ２０８にてＹＥＳ）、処理はＳ２１２へと移される。もしそうでないと（Ｓ２０８にてＮＯ）、処理はＳ２１６へと移される。
【００８２】
Ｓ２１０にて、ＣＰＵ３０は、報知部２８を用いて、乾燥不可能である旨を報知する。
【００８３】
Ｓ２１２にて、制御部５０は、適切と判断された乾燥モードを自動的に設定する。Ｓ２１４にて、制御部５０は、設定された衣類情報にしたがって、乾燥部６４を制御する。これにより、乾燥部６４は、ＣＰＵ３０が決定した条件に基づいて、衣類を乾燥させる。Ｓ２１６にて、乾燥部６４のキーは、ユーザが最適と考える乾燥モードの入力を受付ける。
【００８４】
Ｓ２１８にて、ＣＰＵ３０は、乾燥日および乾燥の累計回数を表す情報を読取兼登録機２４に出力する。読取兼登録機２４は、それらの情報を電波によってＲＦＩＤタグ１０に送信する。ＲＦＩＤタグ１０は、乾燥日および乾燥の累計回数を表す情報を記憶する。
【００８５】
以上のような構造およびフローチャートに基づく、洗濯乾燥機７０の動作について説明する。
【００８６】
［乾燥させようとする衣類が乾燥機で乾燥できる場合］
ユーザは、ＲＦＩＤタグ１０が装着された衣類を乾燥部６４の投入口に投入する（Ｓ２００）。洗濯しようとする衣類には、ＲＦＩＤタグ１０が装着されている。衣類が投入されると、Ｓ１０２の処理を経て、ＣＰＵ３０は、ＲＦＩＤタグ１０から受信した情報に基づいて、投入された衣類が洗濯乾燥装置６０において乾燥可能か否かを判断する（Ｓ２０２）。この場合、乾燥可能と判断するので（Ｓ２０２にてＹＥＳ）、ＣＰＵ３０は、ＲＦＩＤタグ１０から受信した衣類情報に基づいて、投入された衣類に最適な乾燥時間、乾燥温度、乾燥風量などを算出する（Ｓ２０４）。乾燥風量などが算出されると、ＣＰＵ３０は、算出した乾燥時間、乾燥温度、乾燥風量などを、報知部２８に表示させる（Ｓ２０６）。乾燥風量などが表示されると、ＣＰＵ３０は、ユーザがその乾燥モードを適切と判断したか否かを判断する（Ｓ２０８）。この場合、乾燥モードを適切と判断するので（Ｓ２０８にてＹＥＳ）、制御部５０は、適切と判断された乾燥モードを自動的に設定する（Ｓ２１２）。乾燥モードが自動的に設定されると、制御部５０は、設定された衣類情報にしたがって、衣類を乾燥させる（Ｓ２１４）。衣類が乾燥させられると、ＣＰＵ３０は、乾燥日および乾燥の累計回数を表す情報をＲＦＩＤタグ１０に記憶させる（Ｓ２１８）。
【００８７】
［乾燥させようとする衣類が乾燥機で乾燥できない場合］
Ｓ１０２の処理を経ると、ＣＰＵ３０は、ＲＦＩＤタグ１０から受信した情報に基づいて、投入された衣類が洗濯乾燥装置６０において乾燥可能か否かを判断する（Ｓ２０２）。この場合、乾燥不可能と判断するので（Ｓ２０２にてＮＯ）、ＣＰＵ３０は、報知部２８を用いて、乾燥不可能である旨を報知する（Ｓ２１０）。
【００８８】
以上のようにして、本実施の形態に係る洗濯乾燥システムは、ＲＦＩＤタグに記憶された、乾燥させられる衣類の素材や質量に基づいて、最適な洗い水量、洗い時間、洗い回転パターン、すすぎ水量、すすぎ時間、すすぎ回転パターン、すすぎ回数、脱水回転パターン、脱水時間だけでなく、最適な乾燥時間、乾燥温度、乾燥風量、および合計時間を決定できる。その際、乾燥温度は、乾燥風量やヒータに供給する電力の容量を変えることによりコントロールされる。これにより、従来の洗濯装置になかった、洗濯の開始から乾燥の終了までの過程について、より適切な取扱いが可能になる。特に乾燥時間の短縮につながる取扱いが可能になる。また、本実施の形態に係る洗濯乾燥システムは、乾燥させられる衣類の素材や質量に基づいて、乾燥機による乾燥の適否を表示できる。これにより、衣類の傷み具合や廃棄時期の目安といった、衣類を管理するための目安を得ることができる。また、乾燥できない洗濯物を乾燥させることを防止できる。そのようなことを防止できるので、本実施の形態に係る洗濯乾燥システムは、衣類の破損や劣化を防止できる。その他、本実施の形態に係る洗濯乾燥システムは、乾燥来歴から傷み具合を判断して、捨てるほうが良い、傷みが少ないクリーニングに出したほうが良い（クリーニングに出したほうが長持ちさせることができる）といったことを報知できる。その結果、ユーザにとっての利便性を向上させる、さらに進歩した乾燥機を提供できる。
【００８９】
なお、Ｓ２０４にて、ＣＰＵ３０が乾燥時間などを決定するにあたり、ＣＰＵ３０は、複数の条件の組合せを選択することにより、衣類を乾燥させる複数の条件を決定してもよい。ここでいう「複数の条件の組合せ」とは、第１の実施の形態において説明した「コース」に相当するものである。本変形例の場合であれば、たとえばコースごとに乾燥時間、乾燥温度、および乾燥風量の適切な値が予め設定されている。ＣＰＵ３０がコースを選択する場合、ＣＰＵ３０は乾燥時間などを個別に算出する必要がなくなる。これにより、より早く衣類を乾燥させる複数の条件が決定されることになる。その結果、ユーザにとっての利便性をより向上させる乾燥機を提供することができる。
【００９０】
＜第３の実施の形態＞
以下、本発明の第３の実施の形態に係る洗濯装置について説明する。
【００９１】
図８を参照して、本実施の形態に係る洗濯乾燥機７０は、制御部７２と、上面に開口を設けた外枠７４と、外枠７４の内部に、防振機構（図示せず）により弾性支持された底つきかつ筒状の水槽７６と、水槽７６の内部に、回転できるように取付けられた、樹脂成形品（ステンレス鋼板製であってもよいが、本実施の形態においては、樹脂成形品とする。）で、底つきかつ筒状の回転槽７８と、水槽７６に接続された駆動部８０と、回転槽７８の底部に、回転できるように取付けられた撹拌翼８２と、水槽７６の下面の排水口１２３に接続された連結管８４と、第１排水管８６と、排水弁８８と、排水弁８８および連結管８４に接続された第２排水管９０と、排水ホース９２とを含む。
【００９２】
制御部７２は、後述する上面板１００の前部に設けられている。制御部７２は、洗濯乾燥機７０の運転を制御する。水槽７６は、洗濯水を貯水する。回転槽７８は、衣類を保持する。回転槽７８は、回転することにより、衣類の水分を脱水する部材でもある。駆動部８０は、回転槽７８および撹拌翼８２を回転させる。撹拌翼８２は、回転槽７８の内部の洗濯水および衣類を撹拌する。連結管８４は、回転槽７８内の洗濯水および水槽７６により回収された洗濯水を第２排水管９０に排水する。第１排水管８６は、回転槽７８の排水を第２排水管９０に排出する。排水弁８８は、第１排水管８６から第２排水管９０への水路を開閉する。第２排水管９０は、第１排水管８６および連結管８４から排出された洗濯水を排水ホース９２に排出する。排水ホース９２は、第２排水管９０から排出された洗濯水を外部に排出する。
【００９３】
外枠７４には、上面板１００が装着されている。上面板１００の中央部に設けられた開口部１０２には、開閉用蓋１０４が取付けられている。
【００９４】
水槽７６の上端の開口部には、水槽カバー１０６が装着されている。水槽７６の背面側には、部品点数を削減するため、温風経路１０８が形成されている。水槽７６の底面には、第３パッキン１１０を介してシールホルダ１１２が固定されている。水槽カバー１０６の中央部には、内蓋１１４が設けられている。水槽７６と後述する脱水軸１６０との間には、第１シール１１６が設けられている。水槽カバー１０６は、温風供給部１１８を固定する。温風経路１０８は、温風を循環させる。シールホルダ１１２は、排水経路１４６を形成する。内蓋１１４は、衣類の出し入れを可能にする。内蓋１１４は、乾燥工程時に外枠７４の上面を密閉する部材でもある。これにより、温風の漏れが防止される。第１シール１１６は、水槽７６と後述する脱水軸１６０との間を、漏水がないようにシールする。
【００９５】
温風供給部１１８は、乾燥ファン１２０、ヒータ１２２、吹出口１２４、および糸屑フィルタ１２６からなる。乾燥ファン１２０は、空気をヒータ１２２に送出する。ヒータ１２２は、乾燥ファン１２０によって送出された空気を加熱する。これにより、加熱された空気は温風になる。吹出口１２４は、温風を吐出する。糸屑フィルタ１２６は、温風から糸屑を除去する。
【００９６】
温風経路１０８は、第１排水管８６から分岐し、かつ温風供給部１１８に連結されるように形成されている。温風経路１０８には、ノズル１２８が取付けられている。ノズル１２８は、冷却水を噴霧する。このノズルは冷却水を放射するノズルであってもよいが、本実施の形態におけるノズル１２８は、冷却水を噴霧するものであるとする。ノズル１２８は、冷却水を噴霧することにより、温風を冷却する。これにより、温風は除湿される。
【００９７】
図９を参照して、シールホルダ１１２の構造を説明する。シールホルダ１１２には、オイルシール１３０が固定されている。オイルシール１３０は、シールホルダ１１２と後述するシールリング１４２との間をシールする。
【００９８】
図１０を参照して、回転槽７８の底部の構造を説明する。回転槽７８は、底部材１３２と、胴部材１３４とからなる。底部材１３２には、複数の孔部１３６が中央部に形成されている。回転槽７８の周壁を成す胴部材１３４は、周面が回転軸に対して傾斜したコニカル形状に形成されている。胴部材１３４には、孔部が形成されていない。胴部材１３４の上端には、リング状のバランサ１３８が装着されている。図１１に、バランサ１３８の断面を示す。バランサ１３８の下部には切欠部１４０が所定間隔で設けられている。切欠部１４０は、洗濯水を溢水させる。溢水する洗濯水は、回転槽７８の回転により、胴部材１３４の内面を上昇した水である。溢水した洗濯水は、水槽７６に回収される。
【００９９】
再び図９を参照して、回転槽７８の下面の構造を説明する。回転槽７８の下面には、シールリング１４２がすべての孔部１３６を囲むように取付けられている。シールリング１４２は、回転槽７８とシールホルダ１１２との間から水が漏れることを防止する。回転槽７８の底部は、脱水フランジ１４４により補強されている。回転槽７８の下方には、シールホルダ１１２が接続されている。シールホルダ１１２は、水槽７６内を隔離して排水経路１４６を形成する。排水経路１４６は、孔部１３６から排出された排水を、第１排水管８６に排出する。
【０１００】
脱水フランジ１４４には、第１パッキン１９０と、第２パッキン１９２とが取付けられている。第１パッキン１９０は、回転槽７８と脱水フランジ１４４との間をシールする。第２パッキン１９２は、脱水フランジ１４４とシールリング１４２との間をシールする。
【０１０１】
図９を参照して、駆動部８０について説明する。駆動部８０は、駆動用のモータ１４８と、機構部１５０と、ベルト１５２とを含む。モータ１４８は、トルクを出力する。本実施の形態の場合、モータ１４８は、回転数の制御が可能なモータである。機構部１５０は、モータ１４８の出力を回転槽７８または撹拌翼８２に切替えて伝達する。機構部１５０は、回転槽７８または撹拌翼８２を停止させる装置でもある。ベルト１５２は、モータ１４８の出力を機構部１５０に伝達する。
【０１０２】
機構部１５０は、回転槽７８に固定される中空の脱水軸１６０と、脱水軸１６０の中に嵌込まれ、かつ撹拌翼８２を取付ける撹拌翼軸１６２と、脱水軸１６０と撹拌翼軸１６２との間との間に設けられた第２シール１６４とを含む。脱水軸１６０は、モータ１４８の出力を回転槽７８に伝達する。脱水軸１６０は、回転槽７８に、機構部１５０の制動力を伝達する部材でもある。撹拌翼軸１６２は、モータ１４８の出力を撹拌翼８２に伝達する。撹拌翼軸１６２は、撹拌翼８２に、機構部１５０の制動力を伝達する部材でもある。第２シール１６４は、脱水軸１６０と後述する撹拌翼軸１６２との間を、漏水がないようにシールする。
【０１０３】
脱水軸１６０の上端には、フランジ部１７０が形成されている。回転槽７８の底部、脱水フランジ１４４およびシールリング１４２は、ネジによってフランジ部１７０に固定される。
【０１０４】
図１２を参照して、撹拌翼８２について説明する。図１２は、撹拌翼８２の平面図である。撹拌翼８２は、放射状に設けられた撹拌用の第１突起部１７４と、第２突起部１７６と、複数の通気孔１７８とを含む。通気孔１７８は、第１突起部１７４と第２突起部１７６との間の、外周部分に設けられている。通気孔１７８は、回転槽７８の底部に形成された孔部１３６と対向しないように配置されている。図１３に、孔部１３６の断面形状を示す。孔部１３６は、上面側の周囲が曲面１８０により形成されている。これにより、洗濯水や温風が流通する際の圧力損失を低減できる。
【０１０５】
図１４を参照して、制御部７２は、相互にバスで接続されたＣＰＵ３０２と、メモリ３０４と、通信インターフェイス３０６と、制御インターフェイス３０８と、操作パネル兼報知部３１０とを含む。ＣＰＵ３０２は、洗濯乾燥機７０の各装置や、制御部７２の各回路および各装置を制御する。メモリ３０４は、ＣＰＵ３０２が実行するプログラムや、そのプログラムを実行する際にＣＰＵ３０２が取扱うデータを記憶する。通信インターフェイス３０６は、衣類に取付けられたタグとの間で情報を通信する。この通信は、無線によって行われる。制御インターフェイス３０８は、ＣＰＵ３０２が出力した信号を、洗濯乾燥機７０の各装置が利用できる信号に変換する。制御インターフェイス３０８は、洗濯乾燥機７０の各装置が出力した信号を、ＣＰＵ３０２が利用できる信号に変換する回路でもある。これらにより、ＣＰＵ３０２が、洗濯乾燥機７０の各装置を制御することが可能となる。本実施の形態の場合、操作パネル兼報知部３１０は、タッチパネルである。操作パネル兼報知部３１０は、ユーザのキー入力を受付ける。操作パネル兼報知部３１０は、ユーザのために情報を表示する装置でもある。
【０１０６】
図１５を参照して、衣類に取付けられるＲＦＩＤタグ３２０は、アンテナ３２２と、ＩＣチップ３２４とを含む。アンテナ３２２は、通信インターフェイス３０６との間で情報を通信する。ＩＣチップ３２４は、通信インターフェイス３０６に送信する情報を記憶する。ＩＣチップ３２４は、通信インターフェイス３０６に情報を送信するために、アンテナ３２２を制御する回路でもある。
【０１０７】
ＩＣチップ３２４は、送信部３３２と、受信部３３４と、整流部３３６と、記憶部３３８とを含む。送信部３３２は、アンテナ３２２を制御する。送信部３３２は、記憶部３３８から情報を読出す回路でもある。受信部３３４は、アンテナ３２２が受信した電波を信号に変換する。受信部３３４は、アンテナ３２２が受信した電波が所定の信号を表す電波でない場合、その電波を整流部３３６に出力する回路でもある。整流部３３６は、受信部３３４が受信した電波を整流する。これにより、その電波が電力に変換される。整流部３３６は、電力をＩＣチップ３２４の各部に供給する回路でもある。記憶部３３８は、衣類情報を記憶する。本実施の形態の場合、記憶部３３８に記憶される衣類情報は、第１の実施の形態と同様である。したがって、衣類情報には、ＲＦＩＤタグ１０を取付けた衣類に対する洗濯の回数を表す情報、洗濯の日付を表す情報、ならびに洗濯の工程の内容を特定する情報（本実施の形態の場合、「ドライクリーニング」欄から「洗濯ネットの使用」までがこれに該当する）が含まれている。
【０１０８】
図１６〜図１８を参照して、制御部７２で実行されるプログラムは、洗濯乾燥機７０による衣類の洗浄および脱水に関し、以下のような制御構造を有する。
【０１０９】
Ｓ３００にて、ＣＰＵ３０２は、通信インターフェイス３０６を制御して、ＲＦＩＤタグ３２０（回転槽７８に投入された衣類に取付けられている）に宛てて、情報の送信を要求する旨の情報を送信させる。本実施の形態の場合、ＣＰＵ３０２は、マルチアクセスモードで情報を送信させる。
【０１１０】
Ｓ３０２にて、ＣＰＵ３０２は、通信インターフェイス３０６が返信を受信し、その返信に対応する信号を出力するのを待つ。上述したように、本実施の形態の場合、ＣＰＵ３０２は、マルチアクセスモードで情報を送信させる。これにより、衣類に取付けられた、すべてのＲＦＩＤタグ３２０が衣類情報を返信する。
【０１１１】
Ｓ３０４にて、ＣＰＵ３０２は、通信インターフェイス３０６が出力した信号をメモリ３０４に記憶させる。これにより、ＲＦＩＤタグ３２０が取付けられたすべての衣類についての情報がメモリ３０４に記憶される。
【０１１２】
Ｓ３０６にて、ＣＰＵ３０２は、メモリ３０４に記憶された情報に基づいて、洗い工程、すすぎ工程、脱水工程、および乾燥工程の内容を決定する。本実施の形態の場合、ＣＰＵ３０２は、最も衣類にダメージを与えないように洗い工程、すすぎ工程、脱水工程、および乾燥工程の内容を決定する。たとえば、水洗い中の水流（以下の本実施の形態にかかる説明において、「水流」と記載されている場合、その「水流」は回転槽７８の回転の頻度および回転の速度の組合せによって決定された水の流れ（水槽７６内の水全体の流れ・対流）を表す）、および水流の強さを決定する場合、ＣＰＵ３０２は、メモリ３０４に記憶された情報が表す回転パターンのうち、もっともダメージを受けやすい衣類にあった緩やかな水流、水流の強さに合致するように回転パターンを決定する。ＣＰＵ３０２は、決定された洗い工程、すすぎ工程、脱水工程、および乾燥工程の内容を表す情報を、メモリ３０４に記憶させる。
【０１１３】
Ｓ３０８にて、ＣＰＵ３０２は、洗い、およびすすぎの際の水量を決定する。具体的には、まずＣＰＵ３０２は、メモリ３０４に設けられたレジスタの値を「０」に設定する。値が設定されると、ＣＰＵ３０２は、メモリ３０４に記憶された情報のうち、衣類の素材を表す情報を読出す。その情報が読出されるたびに、ＣＰＵ３０２は、レジスタに水量を加算する。加算される水量は読出された素材に基づいて定められる（その理由は後述する）。これを衣類すべてについて繰返した後、ＣＰＵ３０２は、最終的に算出された値を洗い、すすぎの際の水量に決定する。本実施の形態において、洗い、すすぎの際の水量が素材に基づいて定められる理由は、衣類を洗い、すすぎするために必要な水の量が、衣類の質量以上に素材の影響を受ける場合がままある点にある。
【０１１４】
Ｓ３１０にて、ＣＰＵ３０２は、決定した洗い、すすぎの際の水量、洗い工程、すすぎ工程、および脱水工程の内容に基づき、洗い、すすぎ、および脱水に必要な時間の合計を算出する。Ｓ３１２にて、ＣＰＵ３０２は、決定した洗い工程、すすぎ工程、および脱水工程の内容、ならびに時間の合計に対応する信号を操作パネル兼報知部３１０に出力する。操作パネル兼報知部３１０は、ＣＰＵ３０２が出力した信号に対応する洗い工程、すすぎ工程、および脱水工程の内容、ならびに時間の合計を表示する。
【０１１５】
Ｓ３１４にて、ＣＰＵ３０２は、メモリ３０４に記憶された（すなわちＲＦＩＤタグ３２０から受信した）来歴の情報をすべて読出す。本実施の形態の場合、来歴の情報とは、ＲＦＩＤタグ３２０を取付けた衣類に対する、過去に洗われた回数、洗われた日時、過去にすすがれた回数、すすがれた日時、過去に脱水された回数、脱水された日時（以上は図５における「洗濯来歴」の欄に記載された日時）、過去に乾燥機によって乾燥させられた回数、乾燥機によって乾燥させられた日時（図５においては「乾燥来歴」の欄に記載された日時）を表す情報のことである。
【０１１６】
Ｓ３１６にて、ＣＰＵ３０２は、来歴の情報に基づいて、ＲＦＩＤタグ３２０を取付けた衣類ごとに、案内情報を作成する。本実施の形態の場合、案内情報とは、２つの情報の総称である。それらのうち第１の情報は、複数の洗濯の方法のいずれかを用いた場合の洗濯の適否を表す情報である。それらのうち第２の情報は、乾燥機による乾燥の適否を表す情報である。本実施の形態における案内情報には、洗濯機による洗濯が可能である旨の情報、クリーニングを推奨する旨の情報、乾燥機による乾燥が可能である旨の情報、および廃棄を推奨する（すなわち洗濯の方法のいずれであっても洗濯に不適当である）旨の情報のいずれかが含まれる。ＣＰＵ３０２は、過去に洗濯された回数がクリーニング用に予め定められた値を上回った衣類について、クリーニングを推奨する旨の情報を作成する。ＣＰＵ３０２は、過去に乾燥機によって乾燥させられた回数が乾燥用に予め定められた値を下回った衣類について、乾燥機による乾燥が可能である旨の情報を作成する。ＣＰＵ３０２は、過去に洗濯された回数が廃棄用に予め定められた値を上回った衣類について、廃棄を推奨する旨の情報を作成する。ＣＰＵ３０２は、過去に洗濯された回数がクリーニング用に予め定められた値および廃棄用に予め定められた値を下回った衣類について、洗濯装置による洗濯が可能な旨の情報を作成する。本実施の形態において、クリーニング用に予め定められた値および廃棄用に予め定められた値は、いずれもユーザが予め設定する。ＣＰＵ３０２は、メモリ３０４に来歴の情報が記憶された衣類について、案内情報を作成する。
【０１１７】
Ｓ３１８にて、操作パネル兼報知部３１０は、ユーザの指示を受付ける。Ｓ３２０にて、ＣＰＵ３０２は、操作パネル兼報知部３１０が受付けたユーザの指示が、来歴の情報および案内情報を表示させる旨の指示か否かを判断する。来歴の情報および案内情報を表示させる旨の指示と判断した場合（Ｓ３２０にてＹＥＳ）、処理はＳ３２２へと移される。もしそうでないと（Ｓ３２０にてＮＯ）、処理はＳ３２４へと移される。
【０１１８】
Ｓ３２２にて、ＣＰＵ３０２は、来歴の情報および案内情報の内容に対応する信号を操作パネル兼報知部３１０に出力する。操作パネル兼報知部３１０は、ＣＰＵ３０２が出力した信号に対応する来歴の情報および案内情報の内容を表示する。
【０１１９】
Ｓ３２４にて、操作パネル兼報知部３１０は、ユーザの指示を受付ける。Ｓ３２６にて、ＣＰＵ３０２は、操作パネル兼報知部３１０が受付けたユーザの指示が、洗い工程の内容、すすぎ工程の内容、または脱水工程の内容を変更する旨の指示か否かを判断する。洗い工程、すすぎ工程、または脱水工程を変更する旨の指示と判断した場合（Ｓ３２６にてＹＥＳ）、処理はＳ３２８へと移される。もしそうでないと（Ｓ３２６にてＮＯ）、処理はＳ３３０へと移される。
【０１２０】
Ｓ３２８にて、操作パネル兼報知部３１０は、工程の変更の内容を表す情報を受付ける。ＣＰＵ３０２は、操作パネル兼報知部３１０が受付けた情報をメモリ３０４に記憶させる。
【０１２１】
Ｓ３３０にて、ＣＰＵ３０２は、排水弁８８を閉じる。排水弁８８が閉じられると、ＣＰＵ３０２は、図示しない給水管の弁を開き、回転槽７８内に給水する。
【０１２２】
Ｓ３３２にて、ＣＰＵ３０２は、回転槽７８内の水量が所定の量になるのを待つ。ここでいう「所定の量」とは、Ｓ３０６にて決定された量のことである。その間に、操作パネル兼報知部３１０は、ユーザの指示を受付ける。
【０１２３】
Ｓ３３４にて、ＣＰＵ３０２は、操作パネル兼報知部３１０が受付けたユーザの指示が、来歴の情報および案内情報を表示させる旨の指示か否かを判断する。来歴の情報および案内情報を表示させる旨の指示と判断した場合（Ｓ３３４にてＹＥＳ）、処理はＳ３３６へと移される。もしそうでないと（Ｓ３３４にてＮＯ）、処理はＳ３３８へと移される。
【０１２４】
Ｓ３３６にて、ＣＰＵ３０２は、来歴の情報および案内情報の内容に対応する信号を操作パネル兼報知部３１０に出力する。操作パネル兼報知部３１０は、ＣＰＵ３０２が出力した信号に対応する来歴の情報および案内情報の内容を表示する。
【０１２５】
Ｓ３３８にて、ＣＰＵ３０２は、制御インターフェイス３０８を通じて駆動部８０を制御することにより、回転槽７８を固定する。あわせてＣＰＵ３０２は、駆動部８０を制御することにより、撹拌翼８２を所定の洗い回転パターンで回転させる。ここでいう「所定の洗い回転パターン」とは、Ｓ３０６にて決定された洗い中の水流、および水流の強さに対応する回転パターンのことである。これにより衣類が洗われる。
【０１２６】
Ｓ３４０にて、ＣＰＵ３０２は、撹拌翼８２を所定の洗い回転パターンで回転させたまま、所定の時間が経過するのを待つ。ここでいう「所定の時間」とは、Ｓ３０６にて決定された洗いの時間のことである。その間に、操作パネル兼報知部３１０は、ユーザの指示を受付ける。
【０１２７】
Ｓ３４２にて、ＣＰＵ３０２は、操作パネル兼報知部３１０が受付けたユーザの指示が、来歴の情報および案内情報を表示させる旨の指示か否かを判断する。来歴の情報および案内情報を表示させる旨の指示と判断した場合（Ｓ３４２にてＹＥＳ）、処理はＳ３４４へと移される。もしそうでないと（Ｓ３４２にてＮＯ）、処理はＳ３４６へと移される。
【０１２８】
Ｓ３４４にて、ＣＰＵ３０２は、来歴の情報および案内情報の内容に対応する信号を操作パネル兼報知部３１０に出力する。操作パネル兼報知部３１０は、ＣＰＵ３０２が出力した信号に対応する来歴の情報および案内情報の内容を表示する。
【０１２９】
Ｓ３４６にて、ＣＰＵ３０２は、駆動部８０を制御することにより、撹拌翼８２の回転を停止させる。Ｓ３４８にて、ＣＰＵ３０２は、排水弁８８を開く。これにより、孔部１３６を介して洗濯水が排水され、工程はすすぎ工程に移行する。その間に、操作パネル兼報知部３１０は、ユーザの指示を受付ける。
【０１３０】
Ｓ３５０にて、ＣＰＵ３０２は、操作パネル兼報知部３１０が受付けたユーザの指示が、来歴の情報および案内情報を表示させる旨の指示か否かを判断する。来歴の情報および案内情報を表示させる旨の指示と判断した場合（Ｓ３５０にてＹＥＳ）、処理はＳ３５２へと移される。もしそうでないと（Ｓ３５０にてＮＯ）、処理はＳ３５４へと移される。
【０１３１】
Ｓ３５２にて、ＣＰＵ３０２は、来歴の情報および案内情報の内容に対応する信号を操作パネル兼報知部３１０に出力する。操作パネル兼報知部３１０は、ＣＰＵ３０２が出力した信号に対応する来歴の情報および案内情報の内容を表示する。
【０１３２】
Ｓ３５４にて、ＣＰＵ３０２は、排水弁８８を閉じる。Ｓ３５６にて、ＣＰＵ３０２は、ふたたび上述した給水管の弁を開き、回転槽７８内に給水する。Ｓ３５８にて、ＣＰＵ３０２は、回転槽７８内の水量が所定の量になるのを待つ。本実施の形態の場合、ここでいう「所定の量」は、Ｓ３０６にて決定された量と同じ量であるとする。その間に、操作パネル兼報知部３１０は、ユーザの指示を受付ける。
【０１３３】
Ｓ３６０にて、ＣＰＵ３０２は、操作パネル兼報知部３１０が受付けたユーザの指示が、来歴の情報および案内情報を表示させる旨の指示か否かを判断する。来歴の情報および案内情報を表示させる旨の指示と判断した場合（Ｓ３６０にてＹＥＳ）、処理はＳ３６２へと移される。もしそうでないと（Ｓ３６０にてＮＯ）、処理はＳ３６４へと移される。
【０１３４】
Ｓ３６２にて、ＣＰＵ３０２は、来歴の情報および案内情報の内容に対応する信号を操作パネル兼報知部３１０に出力する。操作パネル兼報知部３１０は、ＣＰＵ３０２が出力した信号に対応する来歴の情報および案内情報の内容を表示する。
【０１３５】
Ｓ３６４にて、ＣＰＵ３０２は、駆動部８０を制御することにより、回転槽７８を固定する。あわせてＣＰＵ３０２は、駆動部８０を制御することにより、撹拌翼８２を所定のすすぎ回転パターンで回転させる。ここでいう「所定のすすぎ回転パターン」とは、Ｓ３０６にて決定されたすすぎ中の水流、および水流の強さに対応する回転パターンのことである。これにより衣類のすすぎが行われる。
【０１３６】
Ｓ３６６にて、ＣＰＵ３０２は、撹拌翼８２を所定のすすぎ回転パターンで回転させたまま、所定の時間が経過するのを待つ。ここでいう「所定の時間」とは、Ｓ３０６にて決定されたすすぎの時間のことである。その間に、操作パネル兼報知部３１０は、ユーザの指示を受付ける。
【０１３７】
Ｓ３６８にて、ＣＰＵ３０２は、操作パネル兼報知部３１０が受付けたユーザの指示が、来歴の情報および案内情報を表示させる旨の指示か否かを判断する。来歴の情報および案内情報を表示させる旨の指示と判断した場合（Ｓ３６８にてＹＥＳ）、処理はＳ３７０へと移される。もしそうでないと（Ｓ３６８にてＮＯ）、処理はＳ３７２へと移される。
【０１３８】
Ｓ３７０にて、ＣＰＵ３０２は、来歴の情報および案内情報の内容に対応する信号を操作パネル兼報知部３１０に出力する。操作パネル兼報知部３１０は、ＣＰＵ３０２が出力した信号に対応する来歴の情報および案内情報の内容を表示する。
【０１３９】
Ｓ３７２にて、ＣＰＵ３０２は、駆動部８０を制御することにより、撹拌翼８２の回転を停止させる。あわせて、ＣＰＵ３０２は、排水弁８８を開く。これにより、孔部１３６を介して洗濯水が排水され、工程は脱水工程に移行する。Ｓ３７４にて、洗濯水が排水される間に、操作パネル兼報知部３１０は、ユーザの指示を受付ける。
【０１４０】
Ｓ３７６にて、ＣＰＵ３０２は、操作パネル兼報知部３１０が受付けたユーザの指示が、来歴の情報および案内情報を表示させる旨の指示か否かを判断する。来歴の情報および案内情報を表示させる旨の指示と判断した場合（Ｓ３７６にてＹＥＳ）、処理はＳ３７８へと移される。もしそうでないと（Ｓ３７６にてＮＯ）、処理はＳ３８０へと移される。
【０１４１】
Ｓ３７８にて、ＣＰＵ３０２は、来歴の情報および案内情報の内容に対応する信号を操作パネル兼報知部３１０に出力する。操作パネル兼報知部３１０は、ＣＰＵ３０２が出力した信号に対応する来歴の情報および案内情報の内容を表示する。
【０１４２】
Ｓ３８０にて、ＣＰＵ３０２は、駆動部８０を制御することにより、回転槽７８および撹拌翼８２が一体となるように、所定の回転パターンで回転させる。ここでいう「所定の回転パターン」とは、Ｓ３０６にて決定された脱水のスピードに対応する回転パターンのことである。その結果、衣類に含まれた洗濯水が遠心力によってコニカル状の回転槽７８の内壁を上昇する。上昇した洗濯水はバランサ１３８の切欠部１４０を介して回転槽７８から溢水する。回転槽７８の溢水は水槽７６により回収される。回収された洗濯水は排水口１２３を介して排水される。これにより、衣類の脱水が行われる。
【０１４３】
Ｓ３８２にて、ＣＰＵ３０２は、回転槽７８および撹拌翼８２を所定の回転パターンで回転させたまま、所定の時間が経過するのを待つ。ここでいう「所定の時間」とは、Ｓ３０６にて決定された脱水の時間のことである。その間に、操作パネル兼報知部３１０は、ユーザの指示を受付ける。
【０１４４】
Ｓ３８４にて、ＣＰＵ３０２は、操作パネル兼報知部３１０が受付けたユーザの指示が、来歴の情報および案内情報を表示させる旨の指示か否かを判断する。来歴の情報および案内情報を表示させる旨の指示と判断した場合（Ｓ３８４にてＹＥＳ）、処理はＳ３８６へと移される。もしそうでないと（Ｓ３８４にてＮＯ）、処理はＳ３８８へと移される。
【０１４５】
Ｓ３８６にて、ＣＰＵ３０２は、来歴の情報および案内情報の内容に対応する信号を操作パネル兼報知部３１０に出力する。操作パネル兼報知部３１０は、ＣＰＵ３０２が出力した信号に対応する来歴の情報および案内情報の内容を表示する。
【０１４６】
Ｓ３８８にて、ＣＰＵ３０２は、排水弁８８を閉じる。排水弁８８が閉じられると、ＣＰＵ３０２は、駆動部８０を制御することにより、回転槽７８および撹拌翼８２が一体となるように、所定の回転パターンで回転させる。ここでいう「所定の回転パターン」は、予めメモリ３０４に記憶されている情報に基づいて定められる回転パターンのことである。
【０１４７】
Ｓ３９０にて、ＣＰＵ３０２は、回転槽７８および撹拌翼８２を回転させたまま、所定の時間が経過するのを待つ。ここでいう「所定の時間」は、予めメモリ３０４に記憶されている情報に基づいて定められる時間のことである。その間に、操作パネル兼報知部３１０は、ユーザの指示を受付ける。
【０１４８】
Ｓ３９２にて、ＣＰＵ３０２は、操作パネル兼報知部３１０が受付けたユーザの指示が、来歴の情報および案内情報を表示させる旨の指示か否かを判断する。来歴の情報および案内情報を表示させる旨の指示と判断した場合（Ｓ３９２にてＹＥＳ）、処理はＳ３９４へと移される。もしそうでないと（Ｓ３９２にてＮＯ）、処理はＳ３９６へと移される。
【０１４９】
Ｓ３９４にて、ＣＰＵ３０２は、来歴の情報および案内情報の内容に対応する信号を操作パネル兼報知部３１０に出力する。操作パネル兼報知部３１０は、ＣＰＵ３０２が出力した信号に対応する来歴の情報および案内情報の内容を表示する。
【０１５０】
Ｓ３９６にて、ＣＰＵ３０２は、駆動部８０を制御することにより、撹拌翼８２だけを回転させる。これにより、衣類をほぐす工程が付加される。
【０１５１】
Ｓ３９８にて、ＣＰＵ３０２は、乾燥ファン１２０およびヒータ１２２を駆動させる。これにより、温風が吹出口１２４から回転槽７８内に供給される。温風の温度はＳ３０４にて決定された温度である。温風は衣類と接触した後、回転槽７８の孔部１３６および撹拌翼８２の通気孔１７８を介して、温風経路１０８に排気される。これにより、衣類の乾燥が行われる。
【０１５２】
Ｓ４００にて、ＣＰＵ３０２は、ノズル１２８から冷却水を噴霧させる。これにより、温風経路１０８において、温風が冷却される。温風が冷却されると、温風内の水分が結露して除湿される。除湿された空気は、ヒータ１２２により再び加熱され、回転槽７８に供給される。これにより、温風が循環する。
【０１５３】
Ｓ４０２にて、ＣＰＵ３０２は、乾燥ファン１２０、ヒータ１２２、およびノズル１２８を駆動させたまま、所定の時間が経過するのを待つ。ここでいう「所定の時間」とは、Ｓ３０６にて決定された乾燥の時間のことである。その間に、操作パネル兼報知部３１０は、ユーザの指示を受付ける。
【０１５４】
Ｓ４０４にて、ＣＰＵ３０２は、操作パネル兼報知部３１０が受付けたユーザの指示が、来歴の情報および案内情報を表示させる旨の指示か否かを判断する。来歴の情報および案内情報を表示させる旨の指示と判断した場合（Ｓ４０４にてＹＥＳ）、処理はＳ４０６へと移される。もしそうでないと（Ｓ４０４にてＮＯ）、処理はＳ４０８へと移される。
【０１５５】
Ｓ４０６にて、ＣＰＵ３０２は、来歴の情報および案内情報の内容に対応する信号を操作パネル兼報知部３１０に出力する。操作パネル兼報知部３１０は、ＣＰＵ３０２が出力した信号に対応する来歴の情報および案内情報の内容を表示する。
【０１５６】
Ｓ４０８にて、ＣＰＵ３０２は、回転槽７８、撹拌翼８２、ヒータ１２２、乾燥ファン１２０、およびノズル１２８を停止させる。Ｓ４１０にて、ＣＰＵ３０２は、排水弁８８を開く。これにより、温風経路１０８の水が排出される。その間に、操作パネル兼報知部３１０は、ユーザの指示を受付ける。
【０１５７】
Ｓ４１２にて、ＣＰＵ３０２は、操作パネル兼報知部３１０が受付けたユーザの指示が、来歴の情報および案内情報を表示させる旨の指示か否かを判断する。来歴の情報および案内情報を表示させる旨の指示と判断した場合（Ｓ４１２にてＹＥＳ）、処理はＳ４１４へと移される。もしそうでないと（Ｓ４１４にてＮＯ）、処理はＳ４１６へと移される。
【０１５８】
Ｓ４１４にて、ＣＰＵ３０２は、来歴の情報および案内情報の内容に対応する信号を操作パネル兼報知部３１０に出力する。操作パネル兼報知部３１０は、ＣＰＵ３０２が出力した信号に対応する来歴の情報および案内情報の内容を表示する。
【０１５９】
Ｓ４１６にて、ＣＰＵ３０２は、メモリ３０４に記憶された情報のうち、来歴の情報を更新する。Ｓ４１８にて、ＣＰＵ３０２は、通信インターフェイス３０６を制御することにより、ＲＦＩＤタグ３２０に、メモリ３０４に記憶された来歴の情報を送信させる。
【０１６０】
図１９を参照して、ＲＦＩＤタグ３２０で実行される動作は、衣類情報の通信および更新に関し、以下のような制御構造を有する。
【０１６１】
Ｓ４２０にて、アンテナ３２２は、通信インターフェイス３０６からの電波を受信する。アンテナ３２２は、受信した電波を受信部３３４に出力する。
【０１６２】
Ｓ４２２にて、受信部３３４は、出力された電波を整流部３３６に出力する。これにより、整流部３３６は、受信部３３４の出力を電力に変換できる。整流部３３６は、変換した電力を送信部３３２および受信部３３４に供給する。
【０１６３】
Ｓ４２４にて、受信部３３４は、電力の供給を受けると、アンテナ３２２が出力中の電波を、情報を表す信号に変換する。受信部３３４は、信号を送信部３３２に出力する。
【０１６４】
Ｓ４２６にて、送信部３３２は、信号が記憶部３３８に記憶された情報の送信を要求する旨の信号か否かを判断する。情報の送信を要求する旨の信号と判断した場合（Ｓ４２６にてＹＥＳ）、処理はＳ４２８へと移される。もしそうでないと（Ｓ４２６にてＮＯ）、処理はＳ４３０へと移される。Ｓ４２８にて、送信部３３２は、記憶部３３８に記憶されたすべての衣類情報を通信インターフェイス３０６に送信する。
【０１６５】
Ｓ４３０にて、送信部３３２は、信号が記憶部３３８に記憶された情報を更新する旨の信号か否かを判断する。情報を更新する旨の信号と判断した場合（Ｓ４３０にてＹＥＳ）、処理はＳ４３２へと移される。もしそうでないと（Ｓ４３０にてＮＯ）、処理は終了する。
【０１６６】
Ｓ４３２にて、受信部３３４は、アンテナ３２２が出力した情報を、記憶部３３８が記憶できる情報に変換する。受信部３３４は、変換した情報を送信部３３２に出力する。送信部３３２は、受信部３３４が出力した情報を記憶部３３８に記憶させる。
【０１６７】
以上のような構造およびフローチャートに基づく、洗濯乾燥機７０の動作について説明する。
【０１６８】
ＣＰＵ３０２は、ＲＦＩＤタグ３２０に宛てて、情報の送信を要求する旨の情報を送信させる（Ｓ３００）。なお、このとき、予めユーザによってドラム４０４に衣類が投入されている。情報が送信されると、ＣＰＵ３０２は、通信インターフェイス３０６が返信を受信し、その返信に対応する信号を出力するのを待つ（Ｓ３０２）。一方アンテナ３２２は、通信インターフェイス３０６からの電波を受信する。アンテナ３２２は、受信した電波を受信部３３４に出力する（Ｓ４２０）。受信した電波が受信部３３４に出力されると、受信部３３４は、出力された電波を整流部３３６に出力する。これにより、整流部３３６は、受信部３３４の出力を電力に変換する。整流部３３６は、変換した電力を送信部３３２および受信部３３４に供給する（Ｓ４２２）。電力が供給されると、受信部３３４は、アンテナ３２２が出力中の電波を、情報を表す信号に変換する。受信部３３４は、信号を送信部３３２に出力する（Ｓ４２４）。信号が出力されると、送信部３３２は、信号が記憶部３３８に記憶された情報の送信を要求する旨の信号か否かを判断する（Ｓ４２６）。この場合、情報の送信を要求する旨の信号と判断するので（Ｓ４２６にてＹＥＳ）、送信部３３２は、記憶部３３８に記憶されたすべての衣類情報を通信インターフェイス３０６に送信する（Ｓ４２８）。衣類情報が送信されると、ＣＰＵ３０２は、通信インターフェイス３０６が出力した信号をメモリ３０４に記憶させる（Ｓ３０４）。
【０１６９】
信号がメモリ３０４に記憶されると、ＣＰＵ３０２は、メモリ３０４に記憶された情報に基づいて、洗い工程、すすぎ工程、脱水工程、および乾燥工程の内容を決定する（Ｓ３０６）。工程の内容が決定されると、ＣＰＵ３０２は、洗い、すすぎの際の水量を決定する（Ｓ３０８）。水量が決定されると、ＣＰＵ３０２は、決定した洗い、すすぎの際の水量、洗い工程、すすぎ工程、および脱水工程の内容に基づき、洗い、すすぎ、および脱水に必要な時間の合計を算出する（Ｓ３１０）。時間の合計が算出されると、操作パネル兼報知部３１０は、洗い工程、すすぎ工程、脱水工程、および時間の合計を表示する（Ｓ３１２）。それらが表示されると、ＣＰＵ３０２は、メモリ３０４に記憶された来歴の情報をすべて読出す（Ｓ３１４）。情報が読出されると、ＣＰＵ３０２は、来歴の情報に基づいて、ＲＦＩＤタグ３２０を取付けた衣類ごとに、案内情報を作成する（Ｓ３１６）。案内情報が作成されると、操作パネル兼報知部３１０は、ユーザの指示を受付ける（Ｓ３１８）。指示が受付けられると、ＣＰＵ３０２は、その指示が、来歴の情報および案内情報を表示させる旨の指示か否かを判断する（Ｓ３２０）。この場合、来歴の情報および案内情報を表示させる旨の指示なので（Ｓ３２０にてＹＥＳ）、操作パネル兼報知部３１０は、案内情報の内容を表示する（Ｓ３２２）。案内情報の内容が表示されると、操作パネル兼報知部３１０は、ユーザの指示を受付ける（Ｓ３２４）。ユーザの指示が受付けられると、ＣＰＵ３０２は、操作パネル兼報知部３１０が受付けたユーザの指示が、洗い工程の内容、すすぎ工程の内容、または脱水工程の内容を変更する旨の指示か否かを判断する（Ｓ３２６）。この場合、洗い工程の内容、すすぎ工程の内容、または脱水工程の内容を変更する旨の指示ではないので（Ｓ３２６にてＮＯ）、ＣＰＵ３０２は、排水弁８８を閉じ、回転槽７８内に給水する（Ｓ３３０）。
【０１７０】
給水されると、ＣＰＵ３０２は、回転槽７８内の水量が所定の量になるのを待つ（Ｓ３３２）。その間に、操作パネル兼報知部３１０は、ユーザの指示を受付ける。ユーザの指示が受付けられると、ＣＰＵ３０２は、操作パネル兼報知部３１０が受付けたユーザの指示が、来歴の情報および案内情報を表示させる旨の指示か否かを判断する（Ｓ３３４）。この場合、そのような指示はないと判断するので（Ｓ３３４にてＮＯ）、ＣＰＵ３０２は、駆動部８０を制御して、衣類を洗う（Ｓ３３８）。そのままＣＰＵ３０２は、所定の時間が経過するのを待つ（Ｓ３４０）。その間に、操作パネル兼報知部３１０は、ユーザの指示を受付ける。ユーザの指示が受付けられると、ＣＰＵ３０２は、操作パネル兼報知部３１０が受付けたユーザの指示が、来歴の情報および案内情報を表示させる旨の指示か否かを判断する（Ｓ３４２）。この場合、そのような指示はないと判断するので（Ｓ３４２にてＮＯ）、ＣＰＵ３０２は、駆動部８０を制御することにより、撹拌翼８２の回転を停止させる（Ｓ３４６）。
【０１７１】
回転が停止されると、ＣＰＵ３０２は、排水弁８８を開く。これにより、孔部１３６を介して洗濯水が排水され、工程はすすぎ工程に移行する（Ｓ３４６）。その間に、操作パネル兼報知部３１０は、ユーザの指示を受付ける。ユーザの指示が受付けられると、ＣＰＵ３０２は、操作パネル兼報知部３１０が受付けたユーザの指示が、来歴の情報および案内情報を表示させる旨の指示か否かを判断する（Ｓ３５０）。この場合、そのような指示はないと判断するので（Ｓ３５０にてＮＯ）、ＣＰＵ３０２は、排水弁８８を閉じる（Ｓ３５４）。排水弁８８が閉じられると、ＣＰＵ３０２は、ふたたび上述した給水管の弁を開き、回転槽７８内に給水する（Ｓ３５６）。その後、ＣＰＵ３０２は、回転槽７８内の水量が所定の量になるのを待つ（Ｓ３５８）。その間に、操作パネル兼報知部３１０は、ユーザの指示を受付ける。ユーザの指示が受付けられると、ＣＰＵ３０２は、操作パネル兼報知部３１０が受付けたユーザの指示が、来歴の情報および案内情報を表示させる旨の指示か否かを判断する（Ｓ３６０）。この場合、そのような指示はないと判断するので（Ｓ３６０にてＮＯ）、ＣＰＵ３０２は、駆動部８０を制御して、衣類のすすぎを行う（Ｓ３６４）。そのままＣＰＵ３０２は、所定の時間が経過するのを待つ（Ｓ３６６）。その間に、操作パネル兼報知部３１０は、ユーザの指示を受付ける。ユーザの指示が受付けられると、ＣＰＵ３０２は、操作パネル兼報知部３１０が受付けたユーザの指示が、来歴の情報および案内情報を表示させる旨の指示か否かを判断する（Ｓ３６８）。この場合、そのような指示はないと判断するので（Ｓ３６８にてＮＯ）、ＣＰＵ３０２は、撹拌翼８２の回転を停止させる。あわせて、ＣＰＵ３０２は、洗濯水を排水する。工程は脱水工程に移行する（Ｓ３７２）。
【０１７２】
洗濯水を排水する間に、操作パネル兼報知部３１０は、ユーザの指示を受付ける（Ｓ３７４）。ユーザの指示が受付けられると、ＣＰＵ３０２は、操作パネル兼報知部３１０が受付けたユーザの指示が、来歴の情報および案内情報を表示させる旨の指示か否かを判断する（Ｓ３７６）。この場合、そのような指示はないと判断するので（Ｓ３７６にてＮＯ）、ＣＰＵ３０２は、衣類を脱水する（Ｓ３８０）。そのままＣＰＵ３０２は、所定の時間が経過するのを待つ（Ｓ３８２）。その間に、操作パネル兼報知部３１０は、ユーザの指示を受付ける。ユーザの指示が受付けられると、ＣＰＵ３０２は、操作パネル兼報知部３１０が受付けたユーザの指示が、来歴の情報および案内情報を表示させる旨の指示か否かを判断する（Ｓ３８４）。この場合、そのような指示はないと判断するので（Ｓ３８４にてＮＯ）、ＣＰＵ３０２は、排水弁８８を閉じる。排水弁８８が閉じられると、ＣＰＵ３０２は、駆動部８０を制御することにより、回転槽７８および撹拌翼８２が一体となるように、所定の回転速度で回転させる（Ｓ３８８）。
【０１７３】
そのままＣＰＵ３０２は、所定の時間が経過するのを待つ（Ｓ３９０）。その間に、操作パネル兼報知部３１０は、ユーザの指示を受付ける。ユーザの指示が受付けられると、ＣＰＵ３０２は、操作パネル兼報知部３１０が受付けたユーザの指示が、来歴の情報および案内情報を表示させる旨の指示か否かを判断する（Ｓ３９２）。この場合、そのような指示はないと判断するので（Ｓ３９２にてＮＯ）、ＣＰＵ３０２は、衣類をほぐす工程を付加する（Ｓ３９６）。衣類をほぐす工程が付加されると、ＣＰＵ３０２は、乾燥ファン１２０およびヒータ１２２を駆動させる（Ｓ３９８）。これにより、衣類の乾燥が行われる。衣類の乾燥が行われると、ＣＰＵ３０２は、ノズル１２８から冷却水を噴霧させる（Ｓ４００）。そのままＣＰＵ３０２は、所定の時間が経過するのを待つ（Ｓ４０２）。その間に、操作パネル兼報知部３１０は、ユーザの指示を受付ける。ユーザの指示が受付けられると、ＣＰＵ３０２は、操作パネル兼報知部３１０が受付けたユーザの指示が、来歴の情報および案内情報を表示させる旨の指示か否かを判断する（Ｓ４０４）。この場合、そのような指示はないと判断するので（Ｓ４０４にてＮＯ）、ＣＰＵ３０２は、回転槽７８、撹拌翼８２、ヒータ１２２、乾燥ファン１２０、およびノズル１２８を停止させる（Ｓ４０８）。それらが停止されると、ＣＰＵ３０２は、温風経路１０８の水を排出させる（Ｓ４１０）。その間に、操作パネル兼報知部３１０は、ユーザの指示を受付ける。ユーザの指示が受付けられると、ＣＰＵ３０２は、操作パネル兼報知部３１０が受付けたユーザの指示が、来歴の情報および案内情報を表示させる旨の指示か否かを判断する（Ｓ４１２）。この場合、そのような指示はないと判断するので（Ｓ４１２にてＮＯ）、ＣＰＵ３０２は、来歴の情報を更新する（Ｓ４１６）。
【０１７４】
来歴の情報が更新されると、ＣＰＵ３０２は、ＲＦＩＤタグ３２０に、メモリ３０４に記憶された来歴の情報を送信させる（Ｓ４１８）。情報が送信されると、送信部３３２は、信号が記憶部３３８に記憶された情報を更新する旨の信号か否かを判断する（Ｓ４３０）。この場合、情報を更新する旨の信号と判断するので（Ｓ４３０にてＹＥＳ）、受信部３３４は、アンテナ３２２が出力した情報を、記憶部３３８が記憶できる情報に変換する（Ｓ４３２）。受信部３３４は、変換した情報を送信部３３２に出力する。送信部３３２は、受信部３３４が出力した情報を記憶部３３８に記憶させる。
【０１７５】
以上のようにして、本実施の形態に係る洗濯乾燥機は、衣類の素材に応じて、洗い工程の内容、すすぎ工程の内容、脱水工程の内容、および時間の合計を決定し、表示できる。これにより、洗濯工程の内容などはより適切な設定となる。さらに本実施の形態に係る洗濯乾燥機は、衣類の素材に応じて案内情報を作成し、表示できる。これにより、衣類の傷み具合や廃棄時期の目安といった、衣類を管理するための目安を得ることができる。その結果、ユーザにとっての利便性を向上させる、さらに進歩した洗濯装置を提供できる。
【０１７６】
なお、すすぎ工程の間に、給水を行ってもよい。この場合、回転槽７８からバランサ１３８の切欠部１４０を介して溢れた洗濯水は、水槽７６により回収される。回収された洗濯水は、排水口１２３を介して排水される。
【０１７７】
また、記憶部３３８に記憶される情報は、上述の内容に特定されない。上述の内容の一部がなくともよい。たとえば、洗い中の回転パターン、洗いの時間、すすぎ中の回転パターン、すすぎの回数、すすぎの時間、脱水の回転パターン、脱水の時間が含まれていなくともよい。この場合、メモリ３０４に、衣類の素材ごとに、これらの情報が予め記憶させておけばよい。これにより、ＣＰＵ３０２は、衣類の素材の情報を受信すると、これらの内容を特定できる。ちなみに、上述の内容に加え、別の内容が加えられていてもよい。この場合、ＣＰＵ３０２は、新たに加えられた情報に対応する、新たな制御を実現できる。
【０１７８】
さらに、ＲＦＩＤタグに代えて、別のＩＣタグや送信機を衣類に取付けてもよい。そのような送信機などは、何らかの電波に応答してＩＤなどを送信するのではなく、たとえば１秒間隔で自律的にＩＤなどを送信してもよい。
【０１７９】
＜第４の実施の形態＞
以下、本発明の第４の実施の形態に係る衣類乾燥機について説明する。
【０１８０】
図２０を参照して、本実施の形態に係る衣類乾燥機４００は、横倒しされた状態で設置された、底つきかつ筒状の水槽４０２と、水槽４０２と同軸に、回転できるように設置されたドラム（乾燥庫）４０４と、制御部４０６と、循環経路４０８とを含む。ドラム４０４は、モータ（図示せず）により、衣類を収容したまま回転する。これにより、衣類が均一に乾燥する。制御部４０６は、衣類乾燥機４００の各部を制御する。循環経路４０８は、乾燥用の空気を循環させる。
【０１８１】
水槽４０２の上部には給気口４２０が設けられている。水槽４０２の側部には排気口４２２が設けられている。給気口４２０および排気口４２２は、循環経路４０８によって、互いに接続されている。また、水槽４０２の下部には排水管４２４が設けられている。排水管４２４は、後述する排気ダクト４３０を介して水槽４０２に流入する熱交換器４３２の冷却水や乾燥用の空気の凝縮水を排水する。これらの排水が流れる方向は、図１における黒塗りの矢印の方向である。
【０１８２】
ドラム４０４は周面に小さな孔（図示せず）を有する。ドラム４０４の中に供給された空気などは、この孔によって水槽４０２とドラム４０４とを自由に往来できる。
【０１８３】
循環経路４０８は、排気ダクト４３０と、熱交換器４３２と、蓄熱部４３４と、送風機４３６と、送風機４３６の後段に配されるヒータ４３８と、給気ダクト４４０とを含む。排気ダクト４３０は、排気口４２２から排出された乾燥用の空気を熱交換器４３２に導く。熱交換器４３２は乾燥用の空気を水冷する。これにより空気中の水蒸気が凝縮する。蓄熱部４３４は熱を蓄熱したり放熱したりする。送風機４３６は、乾燥用の空気を循環させる。本実施の形態の場合、循環の方向は、図２０における白抜きの矢印の方向である。ヒータ４３８は、乾燥用の空気を加熱する。これにより空気は昇温する。給気ダクト４４０は、給気口４２０に乾燥用の空気を導く。
【０１８４】
排気ダクト４３０内の上部には、温度センサ４５５が設けられる。温度センサ４５５は、水槽４０２から排気される乾燥用の空気の温度を検知する。温度センサ４５５は、検知した結果を制御部４０６に送信する。
【０１８５】
熱交換器４３２には、給水弁４６０が接続される。給水弁４６０は、水の供給を停止させる。
【０１８６】
蓄熱部４３４は、蓄熱材４７０を保持する。蓄熱材４７０の具体的な材質ならびに熱の蓄熱および放熱の原理は特に限定されるものではない。本実施の形態の場合、蓄熱材４７０は、相変化する際に熱を蓄熱および放熱する。本実施の形態の場合、蓄熱材４７０は、ポリエチレングリコールである。ポリエチレングリコールは、約６０℃で相変化する。
【０１８７】
図２１を参照して、制御部４０６は、第３の実施の形態に係るＣＰＵ３０２、および制御インターフェイス３０８に代えて、相互にバスで接続されたＣＰＵ４５０と、制御インターフェイス４５４とを含む。ＣＰＵ４５０は、衣類乾燥機４００の各装置や、制御部４０６の各回路および各装置を制御する。制御インターフェイス４５４は、ＣＰＵ４５０が出力した信号を、衣類乾燥機４００の各装置が利用できる信号に変換する。制御インターフェイス４５４は、衣類乾燥機４００の各装置が出力した信号を、ＣＰＵ４５０が利用できる信号に変換する回路でもある。これらにより、ＣＰＵ４５０が、衣類乾燥機４００の各装置を制御することが可能となる。なお、その他のハードウェア構成は、前述の第３の実施の形態と同じである。それらについての機能も同じである。したがって、それらについての詳細な説明はここでは繰返さない。
【０１８８】
図２２および図２３を参照して、制御部４０６で実行されるプログラムは、衣類乾燥機４００による衣類の乾燥に関し、以下のような制御構造を有する。なお、図２２および図２３に示すフローチャートの中で、前述の図１６に示した処理は同じステップ番号を付してある。それらの処理も同じである。したがって、それらについての詳細な説明はここでは繰返さない。
【０１８９】
Ｓ５００にて、ＣＰＵ４５０は、メモリ３０４に記憶された情報に基づいて、乾燥工程の内容を決定する。本実施の形態の場合、ＣＰＵ４５０は、最も衣類が早く乾燥するように乾燥工程の内容を決定する。また、乾燥工程の内容は、ヒータ４３８に供給する電力および給水弁４６０を閉じる温度によって決定される。すなわち、ＣＰＵ４５０は、メモリ３０４に記憶された情報が表す電力のうち、最大の電力に合致するように供給する電力を決定する。また、ＣＰＵ４５０は、メモリ３０４に記憶された情報が表す温度のうち、最小の温度に合致するように給水弁４６０を閉じる温度を決定する。ＣＰＵ４５０は、決定された乾燥工程を表す情報を、メモリ３０４に記憶させる。
【０１９０】
Ｓ５０２にて、ＣＰＵ４５０は、決定した乾燥工程の内容に基づき、乾燥に必要な時間を算出する。Ｓ５０４にて、ＣＰＵ４５０は、決定した乾燥工程の内容に対応する信号を操作パネル兼報知部３１０に出力する。操作パネル兼報知部３１０は、ＣＰＵ４５０が出力した信号に対応する乾燥工程の内容を表示する。
【０１９１】
Ｓ５０６にて、ＣＰＵ４５０は、メモリ３０４に記憶された来歴の情報をすべて読出す。本実施の形態の場合、来歴の情報とは、過去に乾燥機で乾燥させられた回数、乾燥機で乾燥させられた日時、および過去の乾燥工程を表す情報のことである。
【０１９２】
Ｓ５０８にて、ＣＰＵ４５０は、操作パネル兼報知部３１０が受付けたユーザの指示が、乾燥工程の内容を変更する旨の指示か否かを判断する。乾燥工程の内容を変更する旨の指示と判断した場合（Ｓ５０８にてＹＥＳ）、処理はＳ３２８へと移される。もしそうでないと（Ｓ５０８にてＮＯ）、処理はＳ５１０へと移される。
【０１９３】
Ｓ５１０にて、制御部４０６は、ヒータ４３８および送風機４３６を始動させる。なお、給水弁４６０は閉じられた状態である。ヒータ４３８および送風機４３６が始動されると、乾燥用の空気は、給気口４２０から水槽４０２内に流入する。水槽４０２内に乾燥用の空気が流入すると、乾燥用の空気は、ドラム４０４内の衣類に含まれた水分を蒸発させる。水分を蒸発させた乾燥用の空気は、排気口４２２から循環経路４０８に流出する。流出した乾燥用の空気は、熱交換器４３２を通過し、蓄熱部４３４に流入する。乾燥用の空気が蓄熱部４３４に流入すると、蓄熱部４３４の蓄熱材４７０は、相変化により乾燥用の空気から熱を奪う。これにより、乾燥用の空気は冷却される。一方、蓄熱材４７０には熱が蓄熱される。その結果、乾燥用の空気の水分は凝縮する。水分が凝縮するので、乾燥用の空気は除湿される。凝縮された水分は、排水管４２４から排水される。除湿された乾燥用の空気は、ヒータ４３８により昇温された後、水槽４０２内に供給される。これにより、乾燥用の空気が循環する。さらに、乾燥用の空気の温度は、蓄熱材４７０の蓄熱量に応じて、徐々に上昇する。この間、乾燥用の空気の蒸発速度はほとんど低下しない。蓄熱材４７０の温度上昇にともない、除湿量は低下する一方、乾燥用の空気の飽和水蒸気量が増加することがその理由である。
【０１９４】
Ｓ５１２にて、温度センサ４５５は、水槽４０２から排出される空気の気温を検出する。温度センサ４５５は、検出した値を制御部４０６に出力する。制御部４０６は、水槽４０２から排出される空気の気温が７０℃を超えるまで待つ。排気温度が７０℃を超えると、蓄熱材４７０は、ほぼすべて相変化する。蓄熱材４７０がほぼすべて相変化すると、蓄熱する能力が低下する。蓄熱する能力が低下するので、乾燥用の空気を冷却する能力も低下する。
【０１９５】
Ｓ５１４にて、制御部４０６は、給水弁４６０を開く。給水弁４６０が開かれると、熱交換器４３２に冷却水が供給される。冷却水が供給されると、乾燥用の空気が水冷される。乾燥用の空気が水冷されると、水蒸気の凝縮により乾燥用の空気は除湿される。冷却水および除湿による凝縮水は、排水管４２４を介して排水される。水冷により低温となった乾燥用の空気は、蓄熱部４３４において蓄熱材４７０と熱交換する。蓄熱材４７０は相変化して熱を放出する。乾燥用の空気は、蓄熱材４７０から放出された熱を吸収する。これにより、乾燥用の空気の気温は上昇する。気温が上昇した空気は、ヒータ４３８によりさらに加熱される。このヒータ４３８に供給される電力は、ＣＰＵ４５０によって制御されている。その電力の値はメモリ３０４に記憶された情報によって定められる。加熱された乾燥用の空気は、水槽４０２内に供給される。このとき水槽４０２内に供給される空気は、冷却水で冷却されていない空気に比べ、除湿量が多い空気である。熱交換器４３２によって低温で除湿されたことが、その理由である。このとき水槽４０２内に供給される空気の除湿量が、冷却水で冷却されていない空気に比べ多いので、水槽４０２内における、水分の蒸発量が徐々に増加する。水分の蒸発量が徐々に増加するので、水分の蒸発にともなう気温の低下量も徐々に増加する。気温の低下量が徐々に増加するので、水槽４０２が排気する空気の気温も徐々に低下する。
【０１９６】
Ｓ５１６にて、温度センサ４５５は、水槽４０２から排出される空気の気温を検出する。温度センサ４５５は、検出した値を制御部４０６に出力する。制御部４０６は、水槽４０２から排出される空気の気温が、メモリ３０４に記憶された値を下回ったか否かを判断する。気温がメモリ３０４に記憶された値を下回ったと判断した場合（Ｓ５１６にてＹＥＳ）、蓄熱材４７０による蓄熱を行うために、処理はＳ５２６へと移される。もしそうでないと（Ｓ５１６にてＮＯ）、処理はＳ５１８へと移される。
【０１９７】
Ｓ５１８にて、制御部４０６は、水槽４０２から排気される乾燥用の空気の温湿度など基づいて、乾燥が終了したか否かを判断する。乾燥が終了すると、水槽４０２から排気される乾燥用の空気の気温が低下しなくなることが、温湿度など基づいて乾燥が終了したか否かを判断する理由である。乾燥が終了すると気温が低下しなくなる理由は、熱交換器４３２に給水中に衣類が乾燥すると、衣類に含まれた水分の蒸発量が少なくなる点にある。乾燥が終了したと判断した場合（Ｓ５１８にてＹＥＳ）、処理はＳ５２０へと移される。もしそうでないと（Ｓ５１８にてＮＯ）、処理はＳ５１６へと移される。
【０１９８】
Ｓ５２０にて、制御部４０６は、ヒータ４３８および送風機４３６を停止させる。あわせて制御部４０６は、給水弁４６０を閉じる。Ｓ５２２にて、ＣＰＵ４５０は、メモリ３０４に記憶された情報のうち、来歴の情報を更新する。Ｓ５２４にて、ＣＰＵ４５０は、通信インターフェイス３０６を制御することにより、ＲＦＩＤタグ３２０に、メモリ３０４に記憶された来歴の情報を送信させる。Ｓ５２６にて、制御部４０６は、給水弁４６０を閉じる。
【０１９９】
以上のような構造およびフローチャートに基づく、衣類乾燥機４００の動作について説明する。
【０２００】
Ｓ３００〜Ｓ３０４の処理を経て、ＣＰＵ４５０は、メモリ３０４に記憶された情報に基づいて、乾燥工程の内容を決定する（Ｓ５００）。乾燥工程の内容が決定されると、ＣＰＵ４５０は、決定した乾燥工程の内容に基づき、乾燥に必要な時間を算出する（Ｓ５０２）。時間が算出されると、操作パネル兼報知部３１０は、ＣＰＵ４５０が出力した信号に対応する乾燥工程の内容を表示する（Ｓ５０４）。乾燥工程の内容が表示されると、ＣＰＵ４５０は、メモリ３０４に記憶された来歴の情報をすべて読出す（Ｓ５０６）。情報が読出されると、ＣＰＵ４５０は、来歴の情報に基づいて、ＲＦＩＤタグ３２０を取付けた衣類ごとに、案内情報を作成する（Ｓ３１６）。案内情報が作成されると、操作パネル兼報知部３１０は、ユーザの指示を受付ける（Ｓ３１８）。指示が受付けられると、ＣＰＵ４５０は、操作パネル兼報知部３１０が受付けたユーザの指示が、来歴の情報および案内情報を表示させる旨の指示か否かを判断する（Ｓ３２０）。この場合、来歴の情報および案内情報を表示させる旨の指示と判断するので（Ｓ３２０にてＹＥＳ）、操作パネル兼報知部３１０は、ＣＰＵ４５０が出力した信号に対応する来歴の情報および案内情報の内容を表示する（Ｓ３２２）。内容が表示されると、操作パネル兼報知部３１０は、ユーザの指示を受付ける（Ｓ３２４）。指示が受付けられると、ＣＰＵ４５０は、操作パネル兼報知部３１０が受付けたユーザの指示が、乾燥工程の内容を変更する旨の指示か否かを判断する（Ｓ５０８）。この場合、乾燥工程の内容を変更する旨の指示と判断するので（Ｓ５０８にてＹＥＳ）、Ｓ３２８の処理を経て、制御部４０６は、ヒータ４３８および送風機４３６を始動させる（Ｓ５１０）。
【０２０１】
ヒータ４３８および送風機４３６が始動されると、温度センサ４５５は、水槽４０２から排出される空気の気温を検出する（Ｓ５１２）。制御部４０６は、水槽４０２から排出される空気の気温が７０℃を超えるまで待つ。排気温度が７０℃を超えると、制御部４０６は、給水弁４６０を開く（Ｓ５１４）。給水弁４６０が開かれると、水槽４０２が排気する空気の気温も徐々に低下する。空気の気温が低下する間、温度センサ４５５は、水槽４０２から排出される空気の気温を検出する。制御部４０６は、水槽４０２から排出される空気の気温が、メモリ３０４に記憶された値を下回ったか否かを判断する（Ｓ５１６）。当初、気温がメモリ３０４に記憶された値を下回ったと判断するので（Ｓ５１６にてＹＥＳ）、制御部４０６は、給水弁４６０を閉じる（Ｓ５２６）。給水弁４６０が閉じられると、Ｓ５１２〜Ｓ５１６の処理を繰返し、最終的に制御部４０６は、水槽４０２から排出される空気の気温が、メモリ３０４に記憶された値を下回ったか否かを判断する（Ｓ５１６）。最終的には、水槽４０２から排出される空気の気温は、メモリ３０４に記憶された値以上になるので（Ｓ５１６にてＮＯ）、制御部４０６は、水槽４０２から排気される乾燥用の空気の温湿度など基づいて、乾燥が終了したか否かを判断する（Ｓ５１８）。最終的には乾燥が終了したと判断するので（Ｓ５１８にてＹＥＳ）、制御部４０６は、ヒータ４３８および送風機４３６を停止させる。あわせて制御部４０６は、給水弁４６０を閉じる（Ｓ５２０）。ヒータ４３８および送風機４３６が停止され、給水弁４６０が閉じられると、ＣＰＵ４５０は、メモリ３０４に記憶された情報のうち、来歴の情報を更新する（Ｓ５２２）。来歴の情報が更新されると、ＣＰＵ４５０は、通信インターフェイス３０６を制御することにより、ＲＦＩＤタグ３２０に、メモリ３０４に記憶された来歴の情報を送信させる（Ｓ５２４）。これにより、衣類乾燥機４００の運転が終了する。
【０２０２】
以上のようにして、本実施の形態に係る衣類乾燥機は、乾燥工程の内容を決定し、表示できる。さらに本実施の形態に係る衣類乾燥機は、案内情報を作成し、表示できる。その結果、ユーザにとっての利便性を向上させる乾燥機を提供できる。
【０２０３】
なお、給水弁４６０の切り替えを水槽４０２の排気温度に基づいて行っているが、衣類乾燥機４００の運転時間等により切り替えを行ってもよい。また、排気温度が５５℃および７０℃の時に給水弁４６０の開閉を行っているが、蓄熱材４７０の相変化温度に応じて最適な温度を設定することができる。
【０２０４】
蓄熱材４７０の相変化温度は７０℃を超えると給水弁４６０を閉じた際の乾燥用の空気の温度が高くなるため衣類を損傷する場合がある。また、５０℃よりも低いと排気が降温されにくく給水を長時間行う必要があり節水効果が低減される。このため、相変化温度が５０℃〜７０℃の蓄熱材４７０を用いるのが望ましく、５５℃〜６５℃の蓄熱材を用いるとより望ましい。
【０２０５】
また、本実施形態は水冷により乾燥用の空気を冷却して除湿しているが、冷凍サイクルによる冷却や、水冷と空冷とを併用する冷却を行う場合においても同様の効果を得ることができる。
【０２０６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０２０７】
【図１】本発明の第１の実施の形態に係る洗濯装置システムの全体構成図である。
【図２】本発明の第１の実施の形態に係るＲＦＩＤタグを取付ける位置を表す図である。
【図３】本発明の第１の実施の形態に係る読取兼登録機および報知部を取付ける位置を表す図である。
【図４】本発明の第１の実施の形態に係る洗濯処理の制御の手順を示すフローチャートである。
【図５】本発明の第１の実施の形態に係る衣装情報の内容を表す図である。
【図６】本発明の第２の実施の形態に係る洗濯乾燥システムの全体構成図である。
【図７】本発明の第２の実施の形態に係る乾燥処理の制御の手順を示すフローチャートである。
【図８】本発明の第３の実施の形態に係る洗濯乾燥機の全体構成図である。
【図９】本発明の第３の実施の形態に係る洗濯乾燥機の駆動部およびその付近の構造図である。
【図１０】本発明の第３の実施の形態に係る回転槽の平面図である。
【図１１】本発明の第３の実施の形態に係る回転槽の断面の拡大図である。
【図１２】本発明の第３の実施の形態に係る撹拌翼の平面図である。
【図１３】本発明の第３の実施の形態に係る孔部の断面の拡大図である。
【図１４】本発明の第３の実施の形態に係る制御部の全体構成図である。
【図１５】本発明の第３の実施の形態に係るＲＦＩＤタグの全体構成図である。
【図１６】本発明の第３の実施の形態に係る洗濯処理の制御の手順を示す第１のフローチャートである。
【図１７】本発明の第３の実施の形態に係る洗濯処理の制御の手順を示す第２のフローチャートである。
【図１８】本発明の第３の実施の形態に係る洗濯処理の制御の手順を示す第３のフローチャートである。
【図１９】本発明の第３の実施の形態に係る通信処理および更新処理の制御の手順を示すフローチャートである。
【図２０】本発明の第４の実施の形態に係る衣類乾燥機の全体構成図である。
【図２１】本発明の第４の実施の形態に係る制御部の全体構成図である。
【図２２】本発明の第４の実施の形態に係る乾燥処理の制御の手順を示す第１のフローチャートである。
【図２３】本発明の第４の実施の形態に係る乾燥処理の制御の手順を示す第２のフローチャートである。
【符号の説明】
【０２０８】
１０，３２０  ＲＦＩＤタグ、２０  洗濯装置、２２  中央情報処理装置、２４  読取兼登録機、２６，６２  構造部、２８  報知部、３０，３０２，４５０  ＣＰＵ、３２，３０４  メモリ、３４  ＲＯＭ、３６  ＲＡＭ、３８  クロック、４０，５０，７２，４０６  制御部、４２  ＲＦ送受信部、４６，３２２  アンテナ、５２  洗濯部、６０  洗濯乾燥装置、６４  乾燥部、７０  洗濯乾燥機、７４  外枠、７６，４０２  水槽、７８  回転槽、８０  駆動部、８２  撹拌翼、８４  連結管、８６  第１排水管、８８  排水弁、９０  第２排水管、９２  排水ホース、１００  上面板、１０２  開口部、１０４  開閉用蓋、１０６  水槽カバー、１０８  温風経路、１１０  第３パッキン、１１２  シールホルダ、１１４  内蓋、１１６  第１シール、１１８  温風供給部、１２０  乾燥ファン、１２２，４３８  ヒータ、１２３  排水口、１２４  吹出口、１２６  糸屑フィルタ、１２８  ノズル、１３０  オイルシール、１３２  底部材、１３４  胴部材、１３６  孔部、１３８  バランサ、１４０  切欠部、１４２  シールリング、１４４  脱水フランジ、１４６  排水経路、１４８  モータ、１５０  機構部、１５２  ベルト、１６０  脱水軸、１６２  撹拌翼軸、１６４  第２シール、１７０  フランジ部、１７４  第１突起部、１７６  第２突起部、１７８  通気孔、１８０  曲面、１９０  第１パッキン、１９２  第２パッキン、３０６  通信インターフェイス、３０８，４５４  制御インターフェイス、３１０  操作パネル兼報知部、３２４  ＩＣチップ、３３２  送信部、３３４  受信部、３３６  整流部、３３８  記憶部、４００  衣類乾燥機、４０４  ドラム、４０８  循環経路、４２０  給気口、４２２  排気口、４２４  排水管、４３０  排気ダクト、４３２  熱交換器、４３４  蓄熱部、４３６  送風機、４４０  給気ダクト、４５５  温度センサ、４６０  給水弁、４７０  蓄熱材。
【図１】
2005211214.tif 000003
【図２】
2005211214.tif 000004
【図３】
2005211214.tif 000005
【図４】
2005211214.tif 000006
【図５】
2005211214.tif 000007
【図６】
2005211214.tif 000008
【図７】
2005211214.tif 000009
【図８】
2005211214.tif 000010
【図９】
2005211214.tif 000011
【図１０】
2005211214.tif 000012
【図１１】
2005211214.tif 000013
【図１２】
2005211214.tif 000014
【図１３】
2005211214.tif 000015
【図１４】
2005211214.tif 000016
【図１５】
2005211214.tif 000017
【図１６】
2005211214.tif 000018
【図１７】
2005211214.tif 000019
【図１８】
2005211214.tif 000020
【図１９】
2005211214.tif 000021
【図２０】
2005211214.tif 000022
【図２１】
2005211214.tif 000023
【図２２】
2005211214.tif 000024
【図２３】
2005211214.tif 000025